(57)【要約】【課題】走行中に、他の車両とメッセージ交換を容易に行うこと。【解決手段】自車両１の内部にある電子機器２であって、表示部１１の第２表示領域に通信先に対応する第２アイコンを表示し、表示部１１の第１表示領域に複数のメッセージにそれぞれ対応する複数の第１アイコンを表示する表示制御部４３と、少なくとも１つの第２アイコンと、１つの第１アイコンとが指定されたことに応答して、無線通信部２０を介して、指定された第２アイコンに対応する通信先に指定された第１アイコンに対応するメッセージを送信するメッセージ処理部４５とを備え、複数のメッセージは、送信済みメッセージの一部を引用することができる、少なくとも1つの所定の定型（かつ定形）文メッセージを含む。【選択図】図１
2015170097.tif 000002
【特許請求の範囲】
【請求項１】
無線通信部と表示部とを備える電子機器を、
前記表示部の第２表示領域に通信先に対応する第２アイコンを表示し、前記表示部の第１表示領域に複数の定型化されかつ定形のマーク／絵／図形によるメッセージに対応する複数の第１アイコンを表示する表示制御部、
前記第２表示領域に通信先に対応する第２アイコンが表示され、前記第１表示領域に前記複数の第１アイコンが表示されている状態で、少なくとも１つの第２アイコンと、１つの第１アイコンとが指定されたことに応答して、前記無線通信部を介して、前記指定された第２アイコンに対応する通信先に前記指定された第１アイコンに対応する定型化されかつ定形のマーク／絵／図形によるメッセージを送信するメッセージ処理部、
として機能させるためのプログラムであって、
前記複数の定型化されかつ定形のマーク／絵／図形によるメッセージは、送信済み定型化されかつ定形のマーク／絵／図形によるメッセージの一部を引用することができる、少なくとも1つの所定の定型化されかつ定形のマーク／絵／図形によるメッセージを含むことを特徴とする前記プログラム。
【請求項２】
前記所定の定型化されかつ定形のマーク／絵／図形によるメッセージは、前記送信済み定型化されかつ定形のマーク／絵／図形によるメッセージの取消しの意思を伝達する定型化されかつ定形のマーク／絵／図形によるメッセージであることを特徴とする請求項１に記載のプログラム。
【請求項３】
前記表示制御部が、さらに、
前記無線通信部を介して、前記第２アイコンに対応する通信先から定型化されかつ定形のマーク／絵／図形によるメッセージを受信したことに応答して、前記第２表示領域に表示される前記通信先に対応する前記第２アイコンに関連付けて、前記表示部の第２表示領域に前記受信した定型化されかつ定形のマーク／絵／図形によるメッセージに対応する第１アイコンを表示するように、前記電子機器を機能させるための請求項１又は請求項２に記載のプログラム。
【請求項４】
前記表示制御部が、さらに、
前記第２表示領域に前記第２アイコンに関連付けて前記受信した定型化されかつ定形のマーク／絵／図形によるメッセージに対応する第１アイコンを表示する際に、以前に受信した定型化されかつ定形のマーク／絵／図形によるメッセージに対応する第１アイコンが表示されている場合、前記受信した定型化されかつ定形のマーク／絵／図形によるメッセージに対応する第１アイコンを、前記以前に受信した定型化されかつ定形のマーク／絵／図形によるメッセージに対応する第１アイコンに上書きするように、前記電子機器を機能させるための請求項３に記載のプログラム。
【請求項５】
前記メッセージ処理部が、さらに、
前記指定された第１アイコンに対応する定型化されかつ定形のマーク／絵／図形によるメッセージが前記所定の定型化されかつ定形のマーク／絵／図形によるメッセージである場合、前記指定された第２アイコンに対応する通信先に対して、前記指定された第１アイコンに対応する定型化されかつ定形のマーク／絵／図形によるメッセージに、前記指定された第２アイコンに対応する通信先に直近に送信した定型化されかつ定形のマーク／絵／図形によるメッセージに対応する第１アイコンを識別する情報を付加して送信するように、
前記表示制御部が、さらに、
前記受信した定型化されかつ定形のマーク／絵／図形によるメッセージが前記所定の定型化されかつ定形のマーク／絵／図形によるメッセージである場合、前記第２表示領域に前記通信先に対応する第２アイコンを表示するとともに、前記第２アイコンに関連付けて前記受信した所定の定型化されかつ定形のマーク／絵／図形によるメッセージに対応する第１アイコンを表示するとともに、前記所定の定型化されかつ定形のマーク／絵／図形によるメッセージに付加された情報により識別される第１アイコンを表示するように、前記電子機器を機能させるための請求項３又は請求項４に記載のプログラム。
【請求項６】
前記表示制御部が、さらに、
前記受信した定型化されかつ定形のマーク／絵／図形によるメッセージが前記所定の定型化されかつ定形のマーク／絵／図形によるメッセージである場合、前記第２表示領域に前記受信した定型化されかつ定形のマーク／絵／図形によるメッセージに対応する第１アイコンを表示するとともに、前記第２アイコンに対応する通信先から直近に受信した定型化されかつ定形のマーク／絵／図形によるメッセージに対応する第１アイコンを表示するように、前記電子機器を機能させるための請求項３又は請求項４に記載のプログラム。
【請求項７】
前記表示制御部が、さらに、
前記第２アイコンに関連付けて前記受信した定型化されかつ定形のマーク／絵／図形によるメッセージに対応する第１アイコンを表示する際に、以前に受信した定型化されかつ定形のマーク／絵／図形によるメッセージに対応する第１アイコンが表示されている場合、前記受信した定型化されかつ定形のマーク／絵／図形によるメッセージに対応する第１アイコンと以前に受信した定型化されかつ定形のマーク／絵／図形によるメッセージに対応する第１アイコンとを受信時刻情報順に、前記第２表示領域に表示するように、前記電子機器を機能させるための請求項３に記載のプログラム。
【請求項８】
無線通信部と表示部とを備える電子機器が、通信先と定型化されかつ定形のマーク／絵／図形によるメッセージを交換する方法であって、前記方法は、
前記表示部の第２表示領域に通信先に対応する第２アイコンを表示し、前記表示部の第１表示領域に複数の定型化されかつ定形のマーク／絵／図形によるメッセージに対応する複数の第１アイコンを表示する表示制御ステップと、
前記第２表示領域に通信先に対応する第２アイコンが表示され、前記第１表示領域に前記複数の第１アイコンが表示されている状態で、少なくとも１つの第２アイコンと、１つの第１アイコンとが指定されたことに応答して、前記無線通信部を介して、前記指定された第２アイコンに対応する通信先に前記指定された第１アイコンに対応する定型化されかつ定形のマーク／絵／図形によるメッセージを送信するメッセージ処理ステップと、
を含む方法であって、
前記複数の定型化されかつ定形のマーク／絵／図形によるメッセージは、送信済み定型化されかつ定形のマーク／絵／図形によるメッセージの一部を引用することができる、少なくとも1つの所定の定型化されかつ定形のマーク／絵／図形によるメッセージを含むことを特徴とする前記方法。
【請求項９】
前記所定の定型化されかつ定形のマーク／絵／図形によるメッセージは、前記送信済み定型化されかつ定形のマーク／絵／図形によるメッセージの取消しの意思を伝達する定型化されかつ定形のマーク／絵／図形によるメッセージであることを特徴とする請求項８に記載の方法。
【請求項１０】
前記表示制御ステップは、さらに、
前記無線通信部を介して、前記第２アイコンに対応する通信先から定型化されかつ定形のマーク／絵／図形によるメッセージを受信したことに応答して、前記第２表示領域に表示される前記通信先に対応する前記第２アイコンに関連付けて、前記表示部の第２表示領域に前記受信した定型化されかつ定形のマーク／絵／図形によるメッセージに対応する第１アイコンを表示するステップを含む請求項８又は請求項９に記載の方法。
【請求項１１】
無線通信部と、
表示部と、
前記表示部の第２表示領域に通信先に対応する第２アイコンを表示し、前記表示部の第１表示領域に複数の定型化されかつ定形のマーク／絵／図形によるメッセージに対応する複数の第１アイコンを表示する表示制御部と、
前記第２表示領域に通信先に対応する第２アイコンが表示され、前記第１表示領域に前記複数の第１アイコンが表示されている状態で、少なくとも１つの第２アイコンと、１つの第１アイコンとが指定されたことに応答して、前記無線通信部を介して、前記指定された第２アイコンに対応する通信先に前記指定された第１アイコンに対応する定型化されかつ定形のマーク／絵／図形によるメッセージを送信するメッセージ処理部と、を備え、
前記複数の定型化されかつ定形のマーク／絵／図形によるメッセージは、送信済み定型化されかつ定形のマーク／絵／図形によるメッセージの一部を引用することができる、少なくとも1つの所定の定型化されかつ定形のマーク／絵／図形によるメッセージを含むことを特徴とする電子機器。
【請求項１２】
前記所定の定型化されかつ定形のマーク／絵／図形によるメッセージは、前記送信済み定型化されかつ定形のマーク／絵／図形によるメッセージの取消しの意思を伝達する定型化されかつ定形のマーク／絵／図形によるメッセージであることを特徴とする請求項１１に記載の電子機器。
【請求項１３】
前記表示制御部は、
前記無線通信部を介して、前記第２アイコンに対応する通信先から定型化されかつ定形のマーク／絵／図形によるメッセージを受信したことに応答して、前記第２表示領域に表示される前記通信先に対応する第２アイコンに関連付けて、前記表示部の第２表示領域に前記受信した定型化されかつ定形のマーク／絵／図形によるメッセージに対応する第１アイコンを表示することを特徴とする請求項１１又は請求項１２に記載の電子機器。
【発明の詳細な説明】
【技術分野】
【０００１】
本発明は、道路上を移動する車両、オートバイ、自転車、及び歩行者等（以下、「車両等」ともいう）の携行する電子機器（以下、「移動機器」ともいう）間における、メッセージの交換を行うプログラム、方法、及び電子機器に関するものである。例えば、移動機器としては、車両搭乗者の有するスマートフォン等の携帯型端末装置、タブレット端末、ＰＤＡ、ノートパソコン、携帯電話、及びその他無線通信機能を備える携帯可能な電子機器もしくは、ＰＮＤ及び車載ナビゲーション装置等を含むナビゲーション装置が挙げられる。
特に、車両等に搭乗しているユーザーが電子機器により、他の移動機器との間で無線通信を介して、簡易な操作でチャット等のメッセージのやり取りを行うことができるとともに、誤ったメッセージを送信した場合、当該メッセージを簡易な操作で取消しの意思の伝達を行うことができるメッセージの交換を行うためのプログラム、方法、及び電子機器に関する。
【背景技術】
【０００２】
グループメンバーが複数の車両に分散して、例えば日帰りの遠出の移動中に、異なる車両に搭乗しているメンバーとの間で無線通信を介した会話を楽しみたいとのニーズがある。
例えば、ツーリング等は前もって景観のよきポイントの情報を設定しておき、外の景色を見ながら、その地点でメッセージを送りたいニーズがあります。また、例えば、予め決めておいた休憩場所に近づいた時点で確認のためのメッセージ交換を行いたいニーズがあります。
このように、文字データによるチャット形式の会話をする際に、使用頻度の高い「トイレ休憩」、「コーヒータイム」、「コンビニ」、「休憩」等に関する提案メッセージとそれに対する「了解」、「Ｎｏ」等の応答メッセージ、及び目的地の変更などの提案メッセージとそれに対する応答メッセージ等を簡単に操作できることが望まれる。
また、間違えて送信したメッセージの取り消しの意思の伝達を簡単に操作できることが望まれる。
【０００３】
特許文献１には、位置情報設置モードに設定した携帯電話機同士を介した、ユーザー（移動中の人）間のチャットに関する発明が開示されている。特許文献１には、位置情報設置モードに設定した携帯電話機に表示された道路地図上において、自機を示すアイコンと位置情報表示モードに設定した他ユーザーを示すアイコンを表示し、特定のユーザーＢに対応するアイコンを選択することで、当該ユーザーＢに対するメッセージ作成画面を表示し、当該メッセージ作成画面を介してメッセージを入力して、送信ボタンを押すことで、当該メッセージを当該ユーザーＢの携帯電話機に送信する携帯電話機に関する発明が開示されている。
【先行技術文献】
【特許文献】
【０００４】
【特許文献１】特開２００７−１６６１８９号公報
【発明の概要】
【発明が解決しようとする課題】
【０００５】
特許文献１に記載の発明は、特定の相手を選択することで、当該相手に対するメッセージ作成画面を表示するものに過ぎず、ユーザーは、メッセージを入力したうえで返信の操作を行う必要がある。
【０００６】
特許文献1に記載された発明は、ユーザーは、メッセージを入力したうえで返信の操作を行う必要がある。このような操作は、即時性が求められる場合に煩わしく感じる。
【０００７】
特許文献1に記載された発明では、グループメンバーが複数の車両に分散して、例えば日帰りの遠出の移動中に、異なる車両に搭乗しているメンバーとの間で無線通信を介した会話、例えば使用頻度の高い「トイレ休憩」、「コーヒータイム」、「コンビニ」、「休憩」等の提案メッセージとそれに対する「了解」、「Ｎｏ」等の応答メッセージ、及び目的地の変更等の提案メッセージとそれに対する応答メッセージ等について逐一入力しなければならず、簡単に操作することはできない。
また、間違えて送信したメッセージの取り消しを簡単に操作できることもできない。
【０００８】
本発明は、このような問題に鑑みてなされたものであり、文字データによるチャット形式の会話をする際に、使用頻度の高い連絡メッセージとそれに対する応答メッセージ等について定型化されかつ定形のマーク／絵／図形化（以下、「定型（かつ定形）」ともいう）して、簡単に操作することができることを可能とするとともに、誤ったメッセージを送信した場合、当該メッセージを簡易な操作で取消しを行うことを可能とする、車両等に搭乗しているユーザが移動機器を用いて、無線通信を介したメッセージの交換及び送信メッセージの取消しの意思を伝達するプログラム、方法、及び電子機器を提供することを目的とする。以下、定型化されかつ定形のマーク／絵／図形によるメッセージを「定型（かつ定形）文メッセージ」ともいう。
【課題を解決するための手段】
【０００９】
（１）無線通信部（例えば、後述の無線通信部２０）と表示部（例えば、後述の表示部１１）とを備える電子機器（例えば、後述の電子機器２）を、前記表示部の第２表示領域に通信先に対応する第２アイコンを表示し、前記表示部の第１表示領域に複数の定型（かつ定形）文メッセージに対応する複数の第１アイコンを表示する表示制御部（例えば、後述の表示制御部４３）、前記第２表示領域に通信先に対応する第２アイコンが表示され、前記第１表示領域に前記複数の第１アイコンが表示されている状態で、少なくとも１つの第２アイコンと、１つの第１アイコンとが指定されたことに応答して、前記無線通信部を介して、前記指定された第２アイコンに対応する通信先に前記指定された第２のアイコンに対応する定型（かつ定形）文メッセージを送信するメッセージ処理部（例えば、後述のメッセージ処理部４５）、として機能させるためのプログラムであって、前記複数の定型（かつ定形）文メッセージは、送信済み定型（かつ定形）文メッセージの一部を引用することができる、少なくとも1つの所定の定型（かつ定形）文メッセージを含むことを特徴とする前記プログラム。
【００１０】
（２）前記所定の定型（かつ定形）文メッセージは、前記送信済み定型（かつ定形）文メッセージの取消しの意思を伝達する定型（かつ定形）文メッセージであることを特徴とする（１）に記載のプログラム。
【００１１】
（１）及び（２）のプログラムによれば、使用頻度の高いメッセージを定型化し、それを第１アイコンに対応させることで、対応する第１アイコンを選択することのみで、メッセージの作成から発信まで自動処理する。また、誤ったメッセージを送信した場合、又は先に送信した提案を取り消したい場合、取消しの意思を伝達する機能に対応付けた第１アイコンに対応させることのみで、取消しの意思を伝達する定型（かつ定形）文メッセージの作成から発信まで自動処理する。
これにより、自動車等の運転者及び同乗者は、走行中においても定型（かつ定形）文メッセージの送信操作を短時間で直感的かつ容易に行うことができ、スムーズなコミュニケーションを図ることができる。
【００１２】
（３）前記表示制御部（例えば、後述の表示制御部４３）が、さらに、前記無線通信部（例えば、後述の無線通信部２０）を介して、前記第２アイコンに対応する通信先から定型（かつ定形）文メッセージを受信したことに応答して、前記第２表示領域に表示される前記通信先に対応する前記第２アイコンに関連付けて、前記表示部（例えば、後述の表示部１１）の第２表示領域に前記受信した定型（かつ定形）文メッセージに対応する第１アイコンを表示するように、前記電子機器（例えば、後述の電子機器２）を機能させるための（１）又は（２）に記載のプログラム。
【００１３】
（４）前記表示制御部（例えば、後述の表示制御部４３）が、さらに、前記第２表示領域に前記第２アイコンに関連付けて前記受信した定型（かつ定形）文メッセージに対応する第１アイコンを表示する際に、以前に受信した定型（かつ定形）文メッセージに対応する第１アイコンが表示されている場合、前記受信した定型（かつ定形）文メッセージに対応する第１アイコンを、前記以前に受信した定型（かつ定形）文メッセージに対応する第１アイコンに上書きするように、前記電子機器（例えば、後述の電子機器２）を機能させるための（３）に記載のプログラム。
【００１４】
（３）及び（４）のプログラムによれば、メッセージ送信者に対応する第２アイコン毎に、最新のメッセージ情報に対応する第１アイコンを関連付けて表示する。
これにより、現在通信可能となっている通信先から受信したメッセージを、直感的かつ容易に確認することができる。
【００１５】
（５）前記メッセージ処理部（例えば、後述のメッセージ処理部４５）が、さらに、前記指定された第１アイコンに対応する定型（かつ定形）文メッセージが前記所定の定型（かつ定形）文メッセージである場合、前記指定された第２アイコンに対応する通信先に対して、前記指定された第１アイコンに対応する定型（かつ定形）文メッセージに、前記指定された第２アイコンに対応する通信先に直近に送信した定型（かつ定形）文メッセージに対応する第１アイコンを識別する情報を付加して送信するように、前記表示制御部が、さらに、前記受信した定型（かつ定形）文メッセージが前記所定の定型（かつ定形）文メッセージである場合、前記第２表示領域に前記通信先に対応する第２アイコンを表示するとともに、前記第２アイコンに関連付けて前記受信した所定の定型（かつ定形）文メッセージに対応する第１アイコンを表示するとともに、前記所定の定型（かつ定形）文メッセージに付加された情報により識別される第１アイコンを表示するように、前記電子機器（例えば、後述の電子機器２）を機能させるための（３）又は（４）に記載のプログラム。
【００１６】
（６）前記表示制御部（例えば、後述の表示制御部４３）を、さらに、前記受信した定型（かつ定形）文メッセージが前記所定の定型（かつ定形）文メッセージである場合、前記第２表示領域に前記受信した定型（かつ定形）文メッセージに対応する第１アイコンを表示するとともに、前記第２アイコンに対応する通信先から直近に受信した定型（かつ定形）文メッセージに対応する第１アイコンを表示するように機能させるための（３）又は（４）に記載のプログラム。
【００１７】
（５）及び（６）のプログラムによれば、取消しの意思を伝達する定型（かつ定形）文メッセージを作成する送信者は、単に取消しの意思を伝達する定型（かつ定形）文メッセージに対応する第１アイコンを選択する操作のみで直近のメッセージを取り消すことができる。また、取消しの意思を伝達する定型（かつ定形）文メッセージの受信者は、取消しの意思を伝達する定型（かつ定形）文メッセージがどのメッセージを対象としたものか、直感的かつ容易に確認することができる。
【００１８】
（７）前記表示制御部（例えば、後述の表示制御部４３）が、さらに、前記第２アイコンに関連付けて前記受信した定型（かつ定形）文メッセージに対応する第１アイコンを表示する際に、以前に受信した定型（かつ定形）文メッセージに対応する第１アイコンが表示されている場合、前記受信した定型（かつ定形）文メッセージに対応する第１アイコンと以前に受信した定型（かつ定形）文メッセージに対応する第１アイコンとを受信時刻情報順に、前記第２表示領域に表示するように、前記電子機器（例えば、後述の電子機器２）を機能させるための（３）に記載のプログラム。
【００１９】
（７）のプログラムによれば、第２表示領域に、送信者（第２アイコン）別に時系列表示のための２枠を設けて、受信した定型（かつ定形）文メッセージに対応する第１アイコンを順送りに表示することから、現在通信可能となっている通信先から受信した、最新のメッセージ及びその前の直近のメッセージを時系列的に直感的かつ容易に確認することができる。
【００２０】
（８）無線通信部（例えば、後述の無線通信部２０）と表示部（例えば、後述の表示部１１）とを備える電子機器（例えば、後述の電子機器２）が、通信先と定型（かつ定形）文メッセージを交換する方法であって、前記方法は、前記表示部の第２表示領域に通信先に対応する第２アイコンを表示し、前記表示部の第１表示領域に複数の定型（かつ定形）文メッセージに対応する複数の第１アイコンを表示する表示制御ステップ（例えば、後述の表示制御ステップ）と、前記第２表示領域に通信先に対応する第２アイコンが表示され、前記第１表示領域に前記複数の第１アイコンが表示されている状態で、少なくとも１つの第２アイコンと、１つの第１アイコンとが指定されたことに応答して、前記無線通信部を介して、前記指定された第２アイコンに対応する通信先に前記指定された第１アイコンに対応する定型（かつ定形）文メッセージを送信するメッセージ処理ステップ（例えば、後述のメッセージ処理ステップ）と、を含む方法であって、前記複数の定型（かつ定形）文メッセージは、送信済み定型（かつ定形）文メッセージの一部を引用することができる、少なくとも1つの所定の定型（かつ定形）文メッセージを含むことを特徴とする前記方法。
【００２１】
（９）前記所定の定型（かつ定形）文メッセージは、前記送信済み定型（かつ定形）文メッセージの取消しの意思を伝達する定型（かつ定形）文メッセージであることを特徴とする（８）に記載の方法。
【００２２】
（１０）前記表示制御ステップ（例えば、後述の表示制御ステップ）は、さらに、前記無線通信部（例えば、後述の無線通信部２０）を介して、前記第２アイコンに対応する通信先から定型（かつ定形）文メッセージを受信したことに応答して、前記第２表示領域に表示される前記通信先に対応する前記第２アイコンに関連付けて、前記表示部（例えば、後述の表示部１１）の第２表示領域に前記受信した定型（かつ定形）文メッセージに対応する第１アイコンを表示するステップを含む（８）又は（９）に記載の方法。
【００２３】
（８）〜（１０）の方法によれば、（１）〜（３）のプログラムと同様の効果を奏する。
【００２４】
（１１）表示部（例えば、後述の表示部１１）と、前記表示部の第２表示領域に通信先に対応する第２アイコンを表示し、前記表示部の第１表示領域に複数の定型（かつ定形）文メッセージに対応する複数の第１アイコンを表示する表示制御部（例えば、後述の表示制御部４３）と、前記第２表示領域に通信先に対応する第２アイコンが表示され、前記第１表示領域に前記複数の第１アイコンが表示されている状態で、少なくとも１つの第２アイコンと、１つの第１アイコンとが指定されたことに応答して、無線通信部（例えば、後述の無線通信部２０）を介して、前記指定された第２アイコンに対応する通信先に前記指定された第１アイコンに対応する定型（かつ定形）文メッセージを送信するメッセージ処理部（例えば、後述のメッセージ処理部４５）と、を備え、前記複数の定型（かつ定形）文メッセージは、送信済み定型（かつ定形）文メッセージの一部を引用することができる、少なくとも1つの所定の定型（かつ定形）文メッセージを含むことを特徴とする電子機器（例えば、後述の電子機器２）。
【００２５】
（１２）前記所定の定型（かつ定形）文メッセージは、前記送信済み定型（かつ定形）文メッセージの取消しの意思を伝達する定型（かつ定形）文メッセージであることを特徴とする（１１）に記載の電子機器（例えば、後述の電子機器２）。
【００２６】
（１３）前記表示制御部（例えば、後述の表示制御部４３）は、前記無線通信部（例えば、後述の無線通信部２０）を介して、前記第２アイコンに対応する通信先から定型（かつ定形）文メッセージを受信したことに応答して、前記第２表示領域に表示される前記通信先に対応する第２アイコンに関連付けて、前記表示部の第２表示領域に前記受信した定型（かつ定形）文メッセージに対応する第１アイコンを表示することを特徴とする（１１）又は（１２）に記載の電子機器（例えば、後述の電子機器２）。
【００２７】
（１１）〜（１３）の電子機器によれば、（１）〜（３）のプログラムと同様の効果を奏する。
【発明の効果】
【００２８】
本発明によれば、車両等の携行する電子機器間における、文字データ等によるチャット形式又はそれに似た会話をする際に、車両等の運転者及び同乗者等は、定型（かつ定形）文メッセージの送信操作を短時間で直感的かつ容易に行うことができる。また、現在通信可能となっている通信先から受信したメッセージを、直感的かつ容易に確認することができる。また、受信メッセージの応答について、応答定型（かつ定形）文メッセージの送信操作を短時間で直感的かつ容易に行うことができるとともに、応答定型（かつ定形）文メッセージの受信者は、応答を直感的かつ容易に確認することができる。
また、既送信メッセージの取消しの意思を伝達する定型（かつ定形）文メッセージについて、取消しの意思を伝達する定型（かつ定形）文メッセージの送信操作を短時間で直感的かつ容易に行うことができるとともに、取消しの意思を伝達する定型（かつ定形）文メッセージの受信者は、取消しの意思を伝達する定型（かつ定形）文メッセージを直感的かつ容易に確認することができる。
【図面の簡単な説明】
【００２９】
【図１】第１実施形態の電子機器２の機能構成を示すブロック図である。
【図２】第１実施形態の記憶部３２の記憶するデータ構成を示すブロック図である。
【図３Ａ】第１実施形態の自車両（Ｋ）における電子機器の表示部（以下「自車両（Ｋ）の表示部」という）の第２表示領域に第２アイコン、第１表示領域に第１アイコンを表示した例を示す図である。
【図３Ｂ】自車両（Ｋ）が「コンビニ」を提案した場合の、自車両（Ｋ）の表示部における表示例を示す図である。
【図３Ｃ】他車両（Ｌ）から「了解メッセージ」を受信したときの自車両（Ｋ）の表示部における表示例を示す図である。
【図３Ｄ】他車両（Ｍ）から「了解メッセージ」を受信したときの自車両（Ｋ）の表示部における表示例を示す図である。
【図３Ｅ】他車両（Ｌ）から「取消しの意思を伝達する定型（かつ定形）文メッセージ」を受信したときの自車両（Ｋ）の表示部における表示例を示す図である。
【図３Ｆ】自車両（Ｋ）が「コンビニ」提案メッセージを「取消しの意思を伝達する」メッセージにより取り消した場合の、自車両（Ｋ）の表示部における表示例を示す図である。
【図３Ｇ】他車両（Ｍ）から「取消しの意思を伝達する定型（かつ定形）文メッセージ」を受信したときの自車両（Ｋ）の表示部における表示例を示す図である。
【図４Ａ】第１実施形態の自車両（Ｌ）における電子機器の表示部（以下「自車両Ｌの表示部」という）の第２表示領域に第２アイコン、第１表示領域に第１アイコンを表示した例を示す図である。
【図４Ｂ】他車両（Ｋ）から「コンビニ」提案メッセージを受信した場合の、自車両（Ｌ）の表示部における表示例を示す図である。
【図４Ｃ】他車両（Ｋ）に「了解メッセージ」を送信したときの自車両（Ｌ）の表示部における表示例を示す図である。
【図４Ｄ】他車両（Ｍ）から「了解メッセージ」を受信したときの自車両（Ｌ）の表示部における表示例を示す図である。
【図４Ｅ】自車両（Ｌ）が、「取消しの意思を伝達する定型（かつ定形）文メッセージ」を送信したときの自車両（Ｌ）の表示部における表示例を示す図である。
【図４Ｆ】他車両（Ｋ）から「コンビニ」提案メッセージの「取消しの意思を伝達する」メッセージを受信した場合に、自車両Ｌの表示部における表示例を示す図である。
【図４Ｇ】他車両（Ｍ）から「取消しの意思を伝達する定型（かつ定形）文メッセージ」を受信したときの自車両（Ｌ）の表示部における表示例を示す図である。
【図５Ａ】第１実施形態の電子機器において、定型（かつ定形）文メッセージにユーザー独自のメッセージを追加設定（カスタマイズ）する例を示す図である。
【図５Ｂ】第１実施形態の電子機器において、ユーザー独自のメッセージが追加設定（カスタマイズ）された定型（かつ定形）文メッセージの表示例を示す図である。
【図６】歩行者や電動カート利用者等が道路横断したい場合の第１アイコンの表示例を示す図である。
【発明を実施するための形態】
【００３０】
［第１実施形態］
以下、本発明の電子機器の好ましい一実施形態について、図面を参照しながら説明する。最初に、図１を参照して、第１実施形態に係る電子機器について説明する。
【００３１】
［第１実施形態に係る電子機器の機能構成］
第１実施形態に係る車両等は、道路上を移動する自車両１、及び他の車両、オートバイ、自転車、及び歩行者等を意味する。
なお、道路沿いの路側通信設備、道路沿いの施設、及び道路沿いの店舗等を含める場合は、便宜上「車両及び施設等」という。なお、車両及び施設等の備える（又は、有する、又は内部にある）電子機器（以下「移動機器等」ともいう）には、当該電子機器を一意的に識別するための識別ＩＤが付与されており、識別ＩＤにより、電子機器が、車両、オートバイ、自転車、歩行者の車両等の備えるものであるか、又は道路沿いの路側通信設備、道路沿いの施設又は道路沿いの店舗等の備えるものであるかを識別できる。
【００３２】
第１実施形態に係る電子機器２は、車載ナビゲーション装置、ＰＮＤ（Ｐｅｒｓｏｎａｌ  Ｎａｖｉｇａｔｉｏｎ  Ｄｅｖｉｃｅ）等を含むナビゲーション装置、スマートフォン等の携帯型端末装置、タブレット端末、ＰＤＡ、ノートパソコン、携帯電話、その他無線通信機能を備える携帯可能な電子機器を含む。
なお、第１実施形態に係る定型（かつ定形）文メッセージ送受信のためのソフトウェアは、予めインストールされていてもよい。また、所定のサーバ又はクラウド等から適宜ダウンロードしてもよい。
【００３３】
図１を参照して、本発明の第１実施形態に係る電子機器２の機能構成について説明する。図１は、第１実施形態に係る車両等の備える電子機器２の機能構成を示す機能ブロック図である。
第１実施形態に係る自車両１の内部にある電子機器２（以下、特に断らない限り、「移動機器」又は単に「自機」ともいう）は、制御部４０と、無線通信部２０と、ＧＰＳ受信機と、ＧＰＳ処理部３１と、記憶部３２と、表示部１１と、スピーカ１２と、マイク１３と、操作部１４と、カメラ１５とを含んで構成される。
【００３４】
＜メッセージ交換＞
＜メッセージ交換＞
自器と他の車両等の携行する電子機器（以下、特に断らない限り、「他の移動機器」又は単に「他機」ともいう）との間で交換される定型（かつ定形）文メッセージとしては、例えば、任意のグループメンバーが、複数台でのツーリングドライブをしているときに、仲間の車とリアルタイムにやりとりする、「トイレ休憩」、「コーヒータイム」、「コンビニ」、「休憩」等の提案メッセージとそれに対する「了解」等の応答メッセージ、また、相手の対応に対して感謝の意を伝える「ありがとう」等の応答メッセージ、及び仲間内の目的地の変更等の提案メッセージとそれに対する応答メッセージ等がある。
また、例えば、対向車等から「こんにちは」等のあいさつ、見えない先の交通障害に関する定型（かつ定形）文メッセージがある。
また、例えば交差点等において、歩行者存在通知、道路横断する旨の通知等の定型（かつ定形）文メッセージ（例えば、「渡ります」等の定型（かつ定形）文メッセージ）がある。
なお、例えば、道路沿いの店舗からのクーポン情報、割引情報、及び大売出し情報等、道路沿いの公共施設からの地域の催事情報及び観光情報等、道路沿いの施設から気象情報、交通情報等の定型（かつ定形）文メッセージについても移動機器は受信することができる。
【００３５】
なお、自機と他機との間で交換されるメッセージとして、定型（かつ定形）文メッセージの外、例えば、カメラ画像、テキストメッセージ、ボイスメール等の非定型（かつ定形）文メッセージを含むことができる。
【００３６】
また、自機と他機との間で交換されるメッセージは、自機及び他機を一意的に識別するための識別ＩＤ、ＧＰＳ情報、時刻情報、発信者に関する属性、情報種別、情報の緊急度、及び情報の重要度を含むことができる。ここで、発信者に関する属性は、発信者が車両の場合、車種情報を含むことができる。
なお、第１実施形態における車両等は自車両１としたが、歩行者の場合には、発信者に関する属性、すなわち歩行者が子供か、老齢者か、それ以外か、といった属性情報を含むことができる。なお、道路沿いの施設、又は道路沿いの店舗等の場合には、発信者に関する属性、すなわち道路沿いの施設又は道路沿いの店舗等の業種情報を含むことができる。
以下、特に断らなければ、前記情報を総称して「コミュニケーション情報」という。
【００３７】
無線通信部２０は、他の移動機器との送受信の場合には、例えば１対Ｎ通信及び１対１通信の可能なＷｉＦｉダイレクト通信を、サーバとの送受信の場合には、例えばＷｉＦｉアクセスポイント接続又は３Ｇ／ＬＴＥ（３ｒｄ Ｇｅｎｅｒａｔｉｏｎ  ／  Ｌｏｎｇ  Ｔｅｒｍ  Ｅｖｏｌｕｔｉｏｎ）等の通信をすることができるように、複数の通信プロトコルを実装することができる。
【００３８】
ＷｉＦｉダイレクト通信により、自機は、例えば、１００ｍ程度離れた通信可能なエリア内にある周辺の他の移動機器と直接無線通信をすることができる。また、通信可能なエリア内の移動機器をアクセスポイントとして、当該移動機器の通信可能なエリア内にある他の移動機器と無線通信をすることができる。このようにすることで、例えば、自機は、通信可能なエリアを拡げることが可能となる。
【００３９】
また、ＷｉＦｉアクセスポイント接続又は３Ｇ／ＬＴＥ等により、自機は、例えばＶＩＣＳ（登録商標）センタやナビゲーションサーバ等のサーバと無線通信を行うことが可能に構成されている。無線通信部２０は、このようなサーバから、例えば地図情報や渋滞情報等のデータを受信することができる。
【００４０】
なお、無線通信部２０の具備する通信プロトコルは、ＷｉＦｉダイレクト通信、ＷｉＦｉアクセスポイント接続、又は３Ｇ／ＬＴＥに限定されるものではない。無線通信部２０は、他の移動機器と直接送受信するための１対１通信及び１対Ｎ通信の可能な通信プロトコル、及びサーバ等との送受信するための通信プロトコルを具備すればよい。
【００４１】
無線通信部２０は、他の移動機器からコミュニケーション情報を受信する情報受信部２１と、自機からコミュニケーション情報を他の移動機器に対して送信する情報送信部２２とを有する。
【００４２】
ＧＰＳ処理部３１は、ＧＰＳ受信機（図示せず）を介して複数のＧＰＳ衛星から現在地点の緯度経度を含む測位用データを含む電波を受信し、測位用データと現在走行中の道路の地図情報とに基づいて、自機の現在位置を算出する。
【００４３】
表示部１１は、例えば液晶ディスプレイ等により構成され、後述する表示制御部４３により、ユーザーに対して、コミュニケーション情報を表す各種アイコン等を表示することができる。
次に、表示部１１に各種アイコンがどのように表示されるか説明する。なお、以下に説明する表示部１１への表示は、後述する表示制御部４３により制御される。
【００４４】
＜第１アイコン＞
定型（かつ定形）文メッセージ、例えば「トイレ休憩」、「コーヒータイム」、「コンビニ」、「休憩」等の提案メッセージ、提案メッセージに対する「了解」等の応答メッセージのような仲間内の連絡情報、相手の対応に対して感謝の意を伝える「ありがとう」等の感謝の意を伝えるメッセージ、「こんにちは」のような挨拶、「この先渋滞」のような「交通障害情報」等複数の定型（かつ定形）文メッセージを、メッセージシンボルとして表現するアイコン（以下、「第１アイコン」ともいう）に対応づけることで、定型（かつ定形）文メッセージの処理を簡易化することができる。
また、道路横断する旨の通知等の定型（かつ定形）文メッセージとして、「渡ります」等の希望・要求メッセージ、「渡ります」等の決断・行動を伝える連絡メッセージ、及び相手の対応に対して感謝の意を伝える「ありがとう」等の応答・お礼を伝えるメッセージ等を第１アイコンに対応づけることで、定型（かつ定形）文メッセージの処理を簡易化することができる。
また、道路に面した店舗の発信する定型（かつ定形）文メッセージとして「バーゲン中」等のメッセージを第１アイコンに対応づけることもできる。
このように、メッセージシンボルは、画面に表示されたときに見やすい適宜の大きさである。また、地図が画面上に表示されている場合は、画面での占有面積が大きすぎない適宜の大きさである。
【００４５】
＜第１アイコンの効果＞
そうすることで、例えば、次のような効果を奏することができる。
（１）文字メッセージをそのまま表示すると、読む分、直感的把握ではなくなるのに対し、図形もしくは図形的なので、直感的に理解できる。
（２）文字メッセージをそのまま表示する場合、被覆面積が画面中央側に張り出してくるが、アイコン表現のメッセージの場合、一定の大きさに設定できるので、その分張り出しを抑制できる。
（３）メッセージアイコンを送受信者共通の雛型として用意しておき、それを各機に記憶保存しておき、通信データには画像データそのものではなく識別情報を使用し、それを基に受信側で記憶しているデータを呼出して表示することで、送受信データをその分軽くすることができ、通信、とりわけ近距離無線の直接通信において都合が良い。
【００４６】
図３Ａに示すように、例えば、表示部１１上の例えば下側に設けた所定の表示領域（以下「第１表示領域」ともいう）に、選択可能な定型（かつ定形）文メッセージに対応する第１アイコンの一覧が表示される。後述するように、ユーザーは、定型（かつ定形）文メッセージを他の移動機器に送信する場合、第１表示領域に表示された第１アイコンの一覧から、送信しようとする定型（かつ定形）文メッセージに対応する第１アイコンを選択することで、後述するメッセージ処理部４５により当該定型（かつ定形）文メッセージを簡単に送信することができる。
【００４７】
選択可能な第１アイコンの一覧は、表示部１１の画面の大きさに限定されるものではない。
図示しないが、例えば、複数個の第１アイコンから成るメニューバーの端のボタンをメニューボタンとして、メニューボタンを押下することで、複数のメニューバー間の切り換えを行うようにしてもよい。また、例えば、第１表示領域に接触した指を横方向にスライド操作することで、第１表示領域上に表示されている第１アイコンの一覧を横方向にスクロールさせるようにしてもよい。
なお、第１表示領域は、表示部１１上の下側に限定されない、変形例として、表示部１１上の例えば上側等、所定の位置に設定することができる。
【００４８】
また、ユーザの利用頻度や利用局面に応じて、第１アイコンを並べ替えられるようにしてもよい。
このように、ユーザの利用局面に応じて、第１アイコンの一覧表示（メニューバー表示）を適宜設定することで、ユーザの使い勝手を向上させることができる。
【００４９】
＜第２アイコン＞
図３Ａに示すように、移動機器は、キャラクターとして表現されるアイコン（以下、「第２アイコン」という）によって識別され、表示部１１に表示される。表示部１１上の例えば左上側に設けた所定の表示領域（以下「第２表示領域」という）に、現在通信可能な他の移動機器に対応する第２アイコンが表示される。
なお、第２表示領域に表示される第２アイコンとして自機に対応する第２アイコンを含むようにしてもよい。その場合、自機に対応する第２アイコンと他の移動機器に対応する第２アイコンとを区別するために、図３Ａに示すように、例えば、自機に対応する第２アイコン（Ｋ）を表示する領域を他の移動機器に対応する第２アイコン（Ｌ）、第２アイコン（Ｍ）等を表示する領域の上になるように両者を分けることができる。
なお、第２表示領域は、表示部１１上の例えば左上側に限定されない、変形例として、表示部１１上の例えば右上側等、所定の位置に設定することができる。
【００５０】
第２表示領域に表示される他の移動機器に対応する第２アイコンの表示順序は、予め設定された優先順位(例えば、ツーリング仲間を最優先にする等)にしたがって、表示することができる。優先順位が同じ場合には、例えば５０音順(アルファベット順）にしたがって表示することができる。また、接続した時刻にしたがって、例えば、接続した時刻の時系列の新しい順又は古い順にしたがって、表示することができる。このような表示順序の設定については、後述する情報設定部４４により設定することができる。
【００５１】
図３Ａに示すように、表示部１１に表示される現在走行中の道路地図上にも、自機に対応する第２アイコン（Ｋ）とともに、現在通信可能な他の移動機器に対応する第２アイコン（Ｌ）、第２アイコン（Ｍ）等が表示される。自機に対応する第２アイコン（Ｋ）は、ＧＰＳ処理部３１により算出した自機の現在位置に基づいて、現在走行中の道路地図上に表示される。また、他の移動機器に対応する第２アイコン（Ｌ）、第２アイコン（Ｍ）等は、無線通信部２０の情報受信部２１を介して受信した他の移動機器の緯度経度を含むＧＰＳ情報に基づいて算出した他の移動機器の現在位置に基づいて、現在走行中の道路地図上に表示される。
【００５２】
後述するように、自機と第２アイコンとの対応づけ、第２表示領域における第２アイコンの表示順序等については、予め情報設定部４４により設定することができる。
【００５３】
図３Ｃに示すように、通信可能な他の移動機器（Ｌ）から受信したメッセージに対応する第１アイコンは、第２表示領域に表示された、他の移動機器に対応する第２アイコン（Ｌ）のそれぞれに関連付けて、例えば当該第２アイコンの隣に表示される。
【００５４】
＜取消しの意思を伝達する定型（かつ定形）文メッセージ＞
他の移動機器から受信した定型（かつ定形）文メッセージが、以前に当該移動機器から受信した定型（かつ定形）文メッセージの取消しの意思を伝達する定型（かつ定形）文メッセージである場合、取消しの意思を伝達する定型（かつ定形）文メッセージがどの定型（かつ定形）文メッセージを対象としたものか、直感的かつ容易に確認することができるように、例えば、図３Ｅに示すように、取消しの意思を伝達する定型（かつ定形）文メッセージに対応する第１アイコンの隣に取消対象となる定型（かつ定形）文メッセージに対応する第１アイコンを並列表示することができる。
【００５５】
＜応答メッセージ＞
同様に、他の移動機器から受信した定型（かつ定形）文メッセージが、以前に自機又は他機からの（例えば、「コンビニ」）の提案メッセージに対する応答メッセージ（例えば、「了解」、「保留」、又は「反対」）である場合、どの提案メッセージに対する応答メッセージであるのかが、容易に判断できるように、応答メッセージに対応する第１アイコンの隣に応答対象となった提案メッセージに対応する第１アイコンを並列表示することができる。
【００５６】
なお、取消しの意思を伝達する定型（かつ定形）文メッセージに対応する第１アイコンを、例えば「ＣＡＮＣＥＬ」の文字を表示しただけの透過的なアイコンとして、当該アイコンを取消対象となる定型（かつ定形）文メッセージに対応する第１アイコン上に透過的に重畳表示するように構成してもよい。
同様に、応答メッセージ（例えば、「了解」又は「反対」）に対応する第１アイコンを、例えば「○」（了解）、又は「×」（反対）を表示しただけの透過的なアイコンとして、当該アイコンを応答対象となった提案メッセージ（例えば、「コンビニ」）に対応する第１アイコン上に透過的に重畳表示するように構成してもよい。
【００５７】
＜自車両の表示＞
情報設定部４４により、第２表示領域に自機に対応する第２アイコンが表示されるように設定されている場合、例えば、図３Ｂに示すように自機の送信した最新のメッセージに対応する第１アイコン(「コンビニ」)を、第２表示領域に表示された自機に対応する第２アイコン（Ｋ）に関連付けて、例えば当該第２アイコン（Ｋ）の隣の第２表示領域に表示することができる。
【００５８】
＜現在走行中の道路地図上への表示＞
また、図３Ｃに示すように、表示部１１に表示される現在走行中の道路地図上に、他機（Ｌ）から受信したメッセージに対応する第１アイコン（例えば、「了解」、「保留」、又は「反対」）が他機（Ｌ）に対応する第２アイコン（Ｌ）に関連付けて、例えば当該第２アイコン（Ｌ）の上に表示される。
そうすることで、他機から受信した定型（かつ定形）文メッセージを道路地図上に表示された第２アイコンと第１アイコンの関連付けによる表示で、直感的に容易に把握することができる。
【００５９】
なお、図３Ａ〜図３Ｅ及び図４Ａ〜図４Ｅにおけるナビゲーションの画面例はノースアップの表示形態例で、自車両の進行方向をヘディングアップした表示形態例ではないが、自車両の進行方向をヘッディングアップした表示形態においても、第１アイコンの表示は、ナビゲーション画面のルート案内表示を損なわないように表示することができる。
【００６０】
＜取消しの意思を伝達する定型（かつ定形）文メッセージの道路地図上の表示＞
また、図示しないが、第１アイコンが取消しの意思を伝達する定型（かつ定形）文メッセージに対応する場合、表示部１１に表示される現在走行中の道路地図上に、第２表示領域における表示形態と同様に取消しの意思を伝達する定型（かつ定形）文メッセージに対応する第１アイコンの隣に取消対象となる定型（かつ定形）文メッセージに対応する第１アイコンを並列表示することができる。
又は、取消しの意思を伝達する定型（かつ定形）文メッセージに対応する第１アイコンを、例えば「ＣＡＮＣＥＬ」の文字を表示しただけの透過的なアイコンとして、当該アイコンを取消対象となる定型（かつ定形）文メッセージに対応する第１アイコン上に透過的に重畳表示したものとすることができる。
【００６１】
＜応答メッセージの道路地図上の表示＞
また、図示しないが、第１アイコンが応答メッセージに対応する場合、表示部１１に表示される現在走行中の道路地図上に、第２表示領域における表示形態と同様に、応答メッセージに対応する第１アイコンの隣に応答対象となった提案メッセージに対応する第１アイコンを並列表示することができる。
又は、応答メッセージ（例えば、「了解」又は「反対」）に対応する第１アイコンを、例えば「○」（了解）、又は「×」（反対）を表示しただけの透過的なアイコンとして、当該アイコンを応答対象となった提案メッセージ（例えば、「コンビニに寄る」）に対応する第１アイコン上に透過的に重畳表示したものとすることができる。
【００６２】
＜自車両の表示＞
また、図示しないが、表示部１１に表示される現在走行中の道路地図上に、自機の送信した最新のメッセージに対応する第１アイコン（例えば「コンビニ」）を、道路地図上に表示された自機対応する第２アイコンに関連付けて、例えば当該第２アイコンの上に表示することができる。
自機の送信した最新のメッセージに対応する第１アイコンを、表示部１１に表示される現在走行中の道路地図上に表示された、自機に対応する第２アイコンに関連付けて表示するかどうかについては、情報設定部４４により設定することができる。
【００６３】
表示部１１の表面には、タッチパネルが積層されており、ユーザーの操作を受け付けることができる。本実施形態においてタッチパネルが受け付ける操作には、表示部１１の任意の位置を選択する選択操作（いわゆるタップ）や表示部１１の任意の位置を選択した後に指を移動させるスライド操作（いわゆるスワイプ、フリック）が含まれる。また、タッチパネルは、複数の接触点を同時に感知可能なマルチタッチパネルにより構成される。タッチパネルを介して受け付けた操作は、制御部４０に送信され処理される。
【００６４】
スピーカ１２は、ユーザーに対して音声出力を行い、マイク１３は、ユーザーによって発せられた音声等を集音する。
【００６５】
操作部１４は、操作ボタンやタッチパネル式入力装置等により構成することができ、ユーザーによる各種の選択、指示が入力される。なお、表示部１１の表示画面上に設けられたタッチパネルも操作部１４として機能する。
また、音声認識技術により、マイク１３を介して音声入力されたユーザーによる各種の選択、指示を入力することもできる。
【００６６】
＜記憶部３２＞
記憶部３２は、ＲＯＭやＲＡＭ等を備えて構成され、電子機器２を制御するための制御プログラム等が格納されるとともに、操作部１４を介してユーザーにより設定されたデータを読み出し可能に格納し、制御部４０に対してワークエリアを提供する。
【００６７】
また、記憶部３２には、コミュニケーション情報として送信する例えば、「トイレ休憩」、「コーヒータイム」、「コンビニ」、「休憩」等の提案、及び提案に対する「了解」等の応答のような仲間内の連絡情報、相手の対応に対して応答・お礼を伝える「ありがとう」等の応答メッセージ、仲間内の目的地の変更等の提案メッセージとそれに対する応答メッセージ、対向車等から「こんにちは」等のあいさつ、「この先渋滞」のような見えない先の交通障害に関する定型（かつ定形）文メッセージ、及び交差点等において、歩行者存在通知、道路横断する旨の通知等の定型（かつ定形）文メッセージ（例えば、「渡りたい」「渡ります」等の定型（かつ定形）文メッセージ）等複数の定型（かつ定形）文メッセージを予め記憶させておく。
詳細について、以下に説明する。
【００６８】
記憶部３２は、第２アイコンリスト３４１と、定型（かつ定形）文メッセージリスト３４２と、接続テーブル３４３と、送信情報履歴部３４４と、受信情報履歴部３４５とを記憶する。
【００６９】
第２アイコンリスト３４１は、第２アイコンの識別情報（以下、「第２アイコンの識別ＩＤ」ともいう）、当該識別ＩＤに対応する第２アイコン等から構成される複数のレコードを記憶する。
なお、第２アイコンリスト３４１は、予めインストールされていてもよい。また、所定のサーバ又はクラウド等から適宜ダウンロードしてもよい。
【００７０】
定型（かつ定形）文メッセージリスト３４２は、定型（かつ定形）文メッセージの識別ＩＤ、定型（かつ定形）文メッセージ、当該定型（かつ定形）文メッセージに対応付けられた第１アイコンの識別ＩＤ、及び第１アイコン等からなる複数のレコードを記憶する。
定型（かつ定形）文メッセージリスト３４２は、予めインストールされていてもよい。また、所定のサーバ又はクラウド等から適宜ダウンロードしてもよい。そうすることで、定型（かつ定形）文メッセージ及び定型（かつ定形）文メッセージに対応する第１アイコンは、すべての電子機器２に共通に記憶される。
なお、後述するように、情報設定部４４により、定型（かつ定形）文メッセージにユーザー独自のメッセージを、追加設定（カスタマイズ）することができる。
【００７１】
接続テーブル３４３は、後述する接続処理部４２が生成更新する、自車両１及び自車両１と通信可能な他の移動機器の通信アドレス情報（例えば、ＩＰアドレス、ＭＡＣアドレス等）、当該移動機器に対応する第２アイコンの識別ＩＤ、第２アイコンの識別ＩＤに対応する第２アイコンのデータ、時間情報、及び位置情報等から構成される複数のレコードを記憶する。
なお、後述するように、情報設定部４４がユーザーの指示により、第２アイコンの識別ＩＤに対応する第２アイコンのデータをカスタマイズした場合にのみ、当該第２アイコンのデータを接続テーブル３４３に記憶するようにしてもよい。
【００７２】
送信情報履歴部３４４は、自車両１の送信したコミュニケーション情報の履歴を記憶する。
受信情報履歴部３４５は、他の移動機器等から受信したコミュニケーション情報の履歴を記憶する。
そうすることで、ユーザーは、受信済みのコミュニケーション情報を受信した日時順、送信元順等により照会できる。また、ユーザーは、コミュニケーション情報に含まれるデータをテキスト検索することができる。
送信済みのコミュニケーション情報についても、同様に、送信した日時順、送信先順等による照会、及びコミュニケーション情報に含まれるデータのテキスト検索が可能である。
そうすることで、仲間内同士のコミュニケーション情報のやり取りの検索照会、及びクーポンや割引情報を提供している店舗からのコミュニケーション情報の検索照会が可能となる。
【００７３】
なお、現在走行中の道路地図を表示部１１に表示するために、記憶部３２内に地図情報データベースを設けて、２次元地図情報、３次元地図情報、道路形状データ、施設データ、店舗データ等の経路案内処理に用いられる地図情報を格納してもよい。また、経路案内処理に用いられる地図情報をナビゲーションサーバから受信する場合は、ナビゲーションサーバから受信した経路案内処理に用いられる地図情報を記憶部３２に記憶させることとしてもよい。
【００７４】
＜制御部＞
制御部４０は、ＣＰＵ（Ｃｅｎｔｒａｌ Ｐｒｏｃｅｓｓｉｎｇ Ｕｎｉｔ）等を備えており、電子機器２の全体の制御を行う。制御部４０は、現在位置算出部４１と、接続処理部４２と、表示制御部４３と、情報設定部４４と、メッセージ処理部４５と、を備える。
【００７５】
＜現在位置算出部＞
現在位置算出部４１は、情報受信部２１を介して他の移動機器から接続要求、接続確認応答、又はコミュニケーション情報等を受信した場合、接続要求、接続確認応答、又はコミュニケーション情報等に含まれるＧＰＳ情報と、現在走行中の道路の地図情報とに基づいて、他の移動機器の現在位置を算出する。
【００７６】
＜接続処理部＞
接続処理部４２は、自機と通信可能な他の移動機器等の通信アドレス情報（例えば、ＩＰアドレス、ＭＡＣアドレス等）、当該移動機器等に対応する第２アイコンの識別ＩＤ、当該識別ＩＤに対応する第２アイコン、時間情報、及び位置情報等を接続テーブル３４３に記憶する。
【００７７】
より具体的には、接続処理部４２は、ユーザーの指示により、自機を識別するための通信アドレス情報（例えば、ＩＰアドレス、ＭＡＣアドレス等）、自機に対応する第２アイコンの識別ＩＤ、時間情報、及び位置情報等を含む接続要求を情報送信部２２を介して送信する。そして、当該接続要求に応答した他の移動機器等からの接続確認に基づいて、他の移動機器等の通信アドレス情報、当該移動機器等に対応する第２アイコンの識別ＩＤ、時間情報、及び位置情報等を含むレコードを接続テーブル３４３に作成する。  なお、ユーザーが、後述する情報設定部４４により第２アイコンのデータをカスタマイズしている場合は、接続要求及び接続確認にカスタマイズした第２アイコンのデータを含めるものとする。
第２アイコンが、記憶部３２に記憶された第２アイコンリストから選択されている場合は、第２アイコンリストから当該第２アイコンのデータを取得して、接続テーブル３４３に記憶することができる。
【００７８】
接続処理部４２は、他の移動機器等からの接続要求を受信すると、他の移動機器等の通信アドレス情報、当該移動機器に対応する第２アイコンの識別ＩＤ、第２アイコンのデータ、時間情報、及び位置情報等を含むレコードを接続テーブル３４３に記憶する。
そして、接続処理部４２は、接続要求を受信した他の移動機器等に対して、自機のアドレス情報、自機に対応する第２アイコンの識別ＩＤ、時間情報、及び位置情報等を含む、接続確認応答等を情報送信部２２を介して送信する。
【００７９】
接続処理部４２は、他の移動機器等との接続確認等に基づいて、適宜、接続テーブル３４３に作成された、他の移動機器等との接続情報を更新する。そうすることで、現在通信可能な他の移動機器等に関する接続情報（通信アドレス情報、当該移動機器に対応する第２アイコンの識別ＩＤ、第２アイコンのデータ、時間情報、及び位置情報等）を最新の状態に保つことができる。
【００８０】
＜表示制御部＞
表示制御部４３は、接続処理部４２により作成された接続テーブル３４３に記憶された他の移動機器等との接続情報に基づいて、例えば、図３Ａに示すように、表示部１１上の第２表示領域に現在通信可能な他の移動機器に対応する第２アイコンを表示する。
その際、例えば、図３Ａに示すように、表示制御部４３は、自機に対応する第２アイコンを第２表示領域に表示するようにしてもよい。その場合、自機に対応する第２アイコンと他の移動機器等に対応する第２アイコンとを区別するために、例えば、自機に対応する第２アイコン（Ｋ）を表示する領域を他の移動機器等に対応する第２アイコン（Ｌ）、第２アイコン（Ｍ）等を表示する領域の上部に位置するように両者を分けることができる。
【００８１】
表示制御部４３は、第２表示領域に表示される他の移動機器等に対応する第２アイコンを、情報設定部４４により予め設定された優先順位(例えば、ツーリング仲間を最優先にする等)にしたがって、表示することができる。優先順位が同じ場合には、例えば５０音順(アルファベット順）にしたがって表示することができる。また、情報設定部４４により予め設定された、接続した時刻にしたがって、例えば、接続した時刻の時系列の新しい順又は古い順にしたがって、表示することができる。
【００８２】
表示制御部４３は、例えば、図３Ａに示すように、表示部１１に表示される現在走行中の道路地図上に、自機に対応する第２アイコン（Ｋ）とともに、現在通信可能な他の移動機器に対応する第２アイコン（Ｌ）、第２アイコン（Ｍ）等を表示する。自機に対応する第２アイコン（Ｋ）は、ＧＰＳ処理部３１により算出した自車両１の現在位置に基づいて、現在走行中の道路地図上に表示する。また、他の移動機器に対応する第２アイコン（Ｌ）、第２アイコン（Ｍ）等は、無線通信部２０の情報受信部２１を介して受信した他の移動機器の緯度経度を含むＧＰＳ情報に基づいて、現在位置算出部４１により算出した他の移動機器の現在位置に基づいて、現在走行中の道路地図上に表示する。
【００８３】
表示制御部４３は、例えば、図３Ａに示すように、表示部１１上の例えば下側に設けた第１表示領域に、選択可能な定型（かつ定形）文メッセージに対応する第１アイコンの一覧（メニューバー）を表示する。
なお、前述したように、選択可能な第１アイコンの一覧（メニューバー）を複数個備え、メニューバー間で切り換え可能にしたり、またスクロール可能としたりすることで、選択可能な定型（かつ定形）文メッセージの個数は、表示部１１の画面の大きさに限定されない。
【００８４】
表示制御部４３は、例えば図３Ｃに示すように、通信可能な他の移動機器（Ｌ）から情報受信部２１を介して受信したメッセージに対応する第１アイコン（「了解」）を、第２表示領域に表示された、他の移動機器に対応する第２アイコン（Ｌ）のそれぞれに関連付けて、第２表示領域に表示する。
【００８５】
より具体的には、例えば、次のように処理される。
接続処理部４２は、通信可能な他の移動機器（Ｌ）から情報受信部２１を介して受信した自機宛ての通信レコードから、送信元の移動機器（Ｌ）に対応する第２アイコンの識別ＩＤ、（第２アイコンのデータ）、送信元から送信された定型（かつ定形）文メッセージに対応する第１アイコンの識別ＩＤ、（定型文以外にユーザーにより設定されたメッセージ）、時間情報、及び送信元の移動機器のＧＰＳ情報等を抽出する。
ここで、通信レコードに含まれる「（第２アイコンのデータ）」及び「（定型文以外にユーザーにより設定されたメッセージ）」について簡単に説明する。
後述するように、図５Ａに示すように、情報設定部４４により、第２アイコンのデータ及び定型（かつ定形）文メッセージに付加するメッセージをカスタマイズすることができる。このように、ユーザーによりカスタマイズされた場合には、通信レコードに含めるものとする。
【００８６】
接続処理部４２は、送信元の移動機器のＧＰＳ情報と、現在走行中の道路の地図情報とに基づいて、現在位置算出部４１により、送信元の移動機器の現在位置を算出させる。
接続処理部４２は、送信元の移動機器に関する接続情報を接続テーブル３４３に追加更新する。
接続処理部４２は、通信可能な他の移動機器（Ｌ）から情報受信部２１を介して受信した自機宛ての通信レコードに基づいて、受信情報履歴部３４２に受信情報を記憶する。
【００８７】
表示制御部４３は、接続処理部４２により抽出したデータ、定型（かつ定形）文メッセージリスト３４２等に基づいて、表示部１１上に例えば図３Ｃに示すように、他の移動機器（Ｌ）から受信したメッセージに対応する第１アイコン（「了解」）は、第２表示領域に表示された、第２アイコン（Ｌ）に関連付けて表示するとともに、現在走行中の道路地図上に表示された他の移動機器（Ｌ）に対応する第２アイコン（Ｌ）に関連付けて、受信したメッセージに対応する第１アイコン（「了解」）を表示する。
【００８８】
＜上書き表示＞
表示制御部４３は、第２表示領域に第２アイコン（例えばＬ）に関連付けて受信したメッセージに対応する第１アイコンを表示する際に、以前に受信したメッセージに対応する第１アイコンが表示されている場合、受信したメッセージに対応する第１アイコンを、以前に受信したメッセージに対応する第１アイコンに上書きすることができる。
【００８９】
＜並列表示＞
また、第２表示領域に、少なくとも２つの第１アイコンを表示できるようにして、表示制御部４３は、第２アイコン(例えばＬ)に関連付けて前記受信したメッセージに対応する第１アイコンを表示する際に、以前に受信したメッセージに対応する第１アイコンが表示されている場合、受信したメッセージに対応する第１アイコンと以前に受信したメッセージに対応する第１アイコンとを受信時刻情報順に、第２表示領域に並列表示することができる。
【００９０】
このような、上書き表示又は並列表示については、情報設定部４４により予め設定することができる。
【００９１】
また、第１アイコンの表示において、表示制御部４３は、発信者に関する属性、情報種別、情報の緊急度、又は情報の重要度等に基づいて、強調表示することができる。
【００９２】
（取消しの意思を伝達する定型（かつ定形）文メッセージの場合）
他の移動機器から送信された定型（かつ定形）文メッセージが、以前に当該移動機器の送信した定型（かつ定形）文メッセージの取消しの意思を伝達する定型（かつ定形）文メッセージ（「取消し」）である場合、どの定型（かつ定形）文メッセージを取り消したいのかが、容易に判断できるように、表示制御部４３は、取消しの意思を伝達する定型（かつ定形）文メッセージに対応する第１アイコンの隣に取消対象となる定型（かつ定形）文メッセージに対応する第１アイコンを並列表示することができる。
【００９３】
＜取消しの意思を伝達する定型（かつ定形）文メッセージの表示＞
具体的には、受信した取消メッセージに、どの定型（かつ定形）文メッセージ（対応する第１アイコン）を取り消したいのかを識別する情報が付加されている場合、表示制御部４３は、どの定型（かつ定形）文メッセージ（対応する第１アイコン）を取り消したいのかを識別する情報に基づいて、取消しの意思を伝達する定型（かつ定形）文メッセージに対応する第１アイコンの隣に取消対象となる定型（かつ定形）文メッセージに対応する第１アイコンを並列表示することができる。
【００９４】
また、受信した取消メッセージに、どの定型（かつ定形）文メッセージ（対応する第１アイコン）を取り消したいのかを識別する情報が付加されていない場合、表示制御部４３は、当該取消メッセージを送信した送信元から直近に受信した定型（かつ定形）文メッセージに対応する第１アイコンを受信情報履歴部３４５から参照することで、どの定型（かつ定形）文メッセージ（対応する第１アイコン）を取り消したいのかを識別し、当該取消しの意思を伝達する定型（かつ定形）文メッセージに対応する第１アイコンの隣に取消対象となる定型（かつ定形）文メッセージに対応する第１アイコンを並列表示することができる。
【００９５】
なお、表示制御部４３は、取消しの意思を伝達する定型（かつ定形）文メッセージ（例えば、「前言取消し」）に対応する第１アイコンを、例えば「ＣＡＮＣＥＬ」の文字を表示しただけの透過的なアイコンとして、当該アイコンを取消対象となる定型（かつ定形）文メッセージに対応する第１アイコン上に透過的に重畳表示してもよい。
そうすることで、第３表示部に並列表示する領域を確保する必要がなくなる。また、透過的に上書き表示した第１アイコンを表示することで、ユーザーは、取消しの意思を伝達する定型（かつ定形）文メッセージの内容を直感的かつ容易に確認することができる。
【００９６】
＜応答メッセージの表示＞
他の移動機器から送信されたメッセージが、自車両１又は他の車両等からの提案メッセージ（例えば、「コンビニ」）に対する応答メッセージ（例えば、「了解」、「保留」、又は「反対」）である場合、どの提案メッセージに対する応答メッセージであるのかが、容易に判断できるように、表示制御部４３は、応答メッセージに対応する第１アイコンの隣に応答対象となる定型（かつ定形）文メッセージに対応する第１アイコンを並列表示することができる。
【００９７】
具体的には、受信した応答メッセージに、当該応答メッセージがどの定型（かつ定形）文メッセージ（対応する第１アイコン）に対応するかを識別する情報が付加されている場合、表示制御部４３は、どの定型（かつ定形）文メッセージ（対応する第１アイコン）に対応するかを識別する情報に基づいて、応答メッセージに対応する第１アイコンの隣に応答対象となる定型（かつ定形）文メッセージに対応する第１アイコンを並列表示することができる。
【００９８】
また、受信した応答メッセージに、当該応答メッセージがどの定型（かつ定形）文メッセージ（対応する第１アイコン）に対応するかを識別する情報が付加されていない場合、表示制御部４３は、当該応答メッセージを送信した通信先に直近に送信した定型（かつ定形）文メッセージ(提案)に対応する第１アイコンを送信情報履歴部３４１から参照することで、当該応答メッセージがどの定型（かつ定形）文メッセージ（対応する第１アイコン）に対応するかを識別し、当該応答メッセージに対応する第１アイコンの隣に応答対象となる定型（かつ定形）文メッセージに対応する第１アイコンを並列表示することができる。
【００９９】
なお、表示制御部４３は、応答メッセージ（例えば、「了解」又は「反対」）に対応する第１アイコンを、例えば「○」（了解）、又は「×」（反対）を表示しただけの透過的なアイコンとして、当該アイコンを応答対象となる定型（かつ定形）文メッセージ（例えば、「コンビニ」）に対応する第１アイコン上に透過的に重畳表示してもよい。
そうすることで、第３表示部に並列表示する領域を確保する必要がなくなる。また、透過的に重畳表示した第１アイコンを表示することで、ユーザーは、応答メッセージの内容を直感的かつ容易に確認することができる。
【０１００】
＜自機の表示＞
表示制御部４３は、情報設定部４４により第２表示領域に自機に対応する第２アイコンを表示するように設定されている場合、図３Ｂに示すように、自機の送信した最新のメッセージに対応する第１アイコン（「コンビニ」）を、第２表示領域に表示された、自機に対応する第２アイコン（Ｋ）に関連付けて、第２表示領域に表示することができる。
【０１０１】
＜現在走行中の道路地図上への表示＞
表示制御部４３は、例えば図３Ｃに示すように、通信可能な他の移動機器（Ｌ）から受信したメッセージに対応する第１アイコン（「了解」）を表示部１１に表示される現在走行中の道路地図上に表示された、他の移動機器（Ｌ）に対応する第２アイコン（Ｌ）のそれぞれに関連付けて、例えば当該第２アイコンの上に表示する。
そうすることで、ユーザーは、現在通信可能な他の移動機器から受信した定型（かつ定形）文メッセージを道路地図上に表示された第２アイコンと第１アイコンの関連付けによる表示で容易に把握することができる。
この場合、表示制御部４３は、当該移動機器から送信された（すなわち、自機が当該移動機器から受信した）最新のメッセージに対応する第１アイコンを表示する。
【０１０２】
また、図示しないが、情報設定部４４の設定により、表示制御部４３は、第１アイコンが取消しの意思を伝達する定型（かつ定形）文メッセージに対応する場合、表示部１１に表示される現在走行中の道路地図上に、上記第２表示領域における表示形態と同様に取消しの意思を伝達する定型（かつ定形）文メッセージに対応する第１アイコンの隣に取消対象となる定型（かつ定形）文メッセージに対応する第１アイコンを並列表示することができる。
又は、取消しの意思を伝達する定型（かつ定形）文メッセージに対応する第１アイコンを、例えば「ＣＡＮＣＥＬ」の文字を表示しただけの透過的なアイコンとして、当該アイコンを取消対象となる定型（かつ定形）文メッセージに対応する第１アイコン上に透過的に重畳表示したものとすることができる。
【０１０３】
同様に、図示しないが、情報設定部４４の設定により、表示制御部４３は、第１アイコンが応答メッセージに対応する場合、表示部１１に表示される現在走行中の道路地図上に、上記第２表示領域における表示形態と同様に、応答メッセージに対応する第１アイコンの隣に応答対象となった提案メッセージに対応する第１アイコンを並列表示することができる。
又は、応答メッセージ（例えば、「了解」又は「反対」）に対応する第１アイコンを、例えば「○」（了解）、又は「×」（反対）を表示しただけの透過的なアイコンとして、当該アイコンを応答対象となった提案メッセージ（例えば、「コンビニに寄る」）に対応する第１アイコン上に透過的に重畳表示したものとすることができる。
【０１０４】
なお、例えば図３Ｃに示すように、表示制御部４３は、道路地図上に表示された、通信可能な他の移動機器に対応する第２アイコンに関連付けた第１アイコンについては、最新のメッセージに対応する第１アイコンのみを表示するようにしてもよい。
【０１０５】
＜自機の表示＞
また、図示しないが、情報設定部４４の設定により、表示制御部４３は、自機の送信した最新のメッセージに対応する第１アイコンを、表示部１１に表示される現在走行中の道路地図上に表示された、自機に対応する第２アイコンに関連付けて、例えば当該第２アイコンの上に表示することができる。
【０１０６】
＜情報設定部＞
すでに述べたように、情報設定部４４は、第２アイコンの表示形態及び第１アイコンの表示形態について、予め設定することができる。
【０１０７】
情報設定部４４は、第２表示領域に表示される第２アイコンの表示順序を予め設定する。例えば、第２アイコンに優先順位(例えば、ツーリング仲間を最優先にする等)を設定することができる。優先順位が同じ場合には、例えば５０音順(アルファベット順）にしたがって表示することができる。また、接続した時刻にしたがって、例えば、接続した時刻の時系列の新しい順又は古い順にしたがって、表示するように設定することができる。
【０１０８】
情報設定部４４は、自機と第２アイコンとの対応づけを予め設定する。そうすることで、自機と通信可能な他の移動機器において、自機を当該第２アイコンにより表示することができる。
【０１０９】
情報設定部４４は、第２表示領域に自機に対応する第２アイコンを表示するかどうかを設定する。
この場合、図３Ｂに示すように、自車両１の送信した最新のメッセージに対応する第１アイコン（「コンビニ」）を、第２表示領域に表示された、自機に対応する第２アイコン（Ｋ）に関連付けて、第２表示領域に表示することができる。
【０１１０】
情報設定部４４は、自機の送信した最新のメッセージに対応する第１アイコンを、表示部１１に表示される現在走行中の道路地図上に表示された、自機に対応する第２アイコンに関連付けて表示するかどうかを設定する。
【０１１１】
情報設定部４４は、第２表示領域又は表示部１１に表示される現在走行中の道路地図上に第１アイコンを上書き表示するか又は並列表示するか、を設定する。
【０１１２】
なお、情報設定部４４により予め設定された設定情報は、表示制御部４３の稼働中に、ユーザーの指示により、変更することができる。そうすることで、柔軟に表示方法を変更することができる。
【０１１３】
さらに、情報設定部４４は、図５Ａに示すように、定型（かつ定形）文メッセージにユーザー独自のメッセージを、ユーザーの指示により、追加設定（カスタマイズ）することができる。
その場合、独自メッセージは、図５Ｂに示すように、表示制御部４３により、第２アイコンの近傍に表示される。
【０１１４】
また、情報設定部４４は、図５Ａに示すように、ユーザーを表示するための第２アイコンをカスタマイズすることができる。
【０１１５】
情報設定部４４は、道路沿いの路側通信設備、道路沿いの施設、及び道路沿いの店舗等の備える電子機器の場合にも有用である。例えば、道路沿いの店舗は、情報設定部４４により、定型（かつ定形）文メッセージにクーポン情報、割引情報、及び大売出し情報等の具体的な情報を予め追加設定(カスタマイズ)しておくことができる。そして、道路沿いの店舗は、定期的に、クーポン情報、割引情報、及び大売出し情報等の具体的な情報が予め追加設定された定型（かつ定形）文メッセージを道路に向けて発信することで、道路を走行する車両に効果的に働きかけることができる。なお、追加設定情報として、該店舗のホームページアドレスＵＲＬをコミュニケーション情報に含めることも有用である。
【０１１６】
道路沿いの公共施設についても、該地域の催事情報及び観光情報等の具体的な情報が予め追加設定（カスタマイズ）された定型（かつ定形）文メッセージを道路に向けて発信することで、道路を走行する車両に効果的に働きかけることができる。
【０１１７】
＜メッセージ処理部＞
メッセージ処理部４５は、他の移動機器に対してユーザーの指示によりコミュニケーション情報を送信する場合、ＧＰＳ処理部３１を介して自車両１の現在位置を取得し、また、現在時間を計時部（図示せず）から取得し、コミュニケーション情報を生成し、情報発信部２２を介して他の情報発信源に対してコミュニケーション情報を送信する。
【０１１８】
＜定型（かつ定形）文メッセージの作成＞
メッセージ処理部４５は、例えばユーザーのタップ操作により、表示部１１の第２表示領域に表示された現在通信可能な移動機器を識別する第２アイコンから少なくとも１つの第２アイコンが選択され、前記第１表示領域に表示された複数の第１アイコンの一覧から１つの第１アイコンが選択されたことに応答して、前記無線通信部２０を介して、選択された第２アイコンに対応する移動機器に選択された第１アイコンに対応する定型（かつ定形）文メッセージを送信する。
その際、メッセージ処理部４５は、送信情報履歴部３４４に当該送信情報をログ情報として格納する。
【０１１９】
メッセージ処理部４５は、選択された第２アイコンに対応する移動機器等の通信アドレス情報（例えば、ＩＰアドレス、ＭＡＣアドレス等）を接続テーブル３４３から取得して、送信先アドレスに当該通信アドレスを設定し、送信元アドレスに自機の通信アドレスを設定し、送信データ部に自機に対応する第２アイコンの識別ＩＤ、（第２アイコンのデータ）、選択された定型（かつ定形）文メッセージに対応する第１アイコンの識別ＩＤ、（定型文以外にユーザーにより設定されたメッセージ）、時間情報、及び自機のＧＰＳ情報等を設定した通信レコードを作成して、情報送信部２２を介して当該選択された第２アイコンに対応する移動機器に送信する。
ここで、通信レコードに含まれる「（第２アイコンのデータ）」及び「（定型文以外にユーザーにより設定されたメッセージ）」は、前述したとおりである。
すなわち、図５Ａに示すように、情報設定部４４により、第２アイコンのデータ及び定型（かつ定形）文メッセージに付加するメッセージをカスタマイズすることができる。このように、ユーザーによりカスタマイズされた場合には、通信レコードに含めるものとする。
【０１２０】
メッセージ処理部４５は、当該移動機器に送信した上記情報を、送信情報履歴部３４１に格納する。
【０１２１】
なお、情報設定部４４により第２表示領域に自機に対応する第２アイコンが表示されるように設定されている場合、表示制御部４３は、自機の送信した上記定型（かつ定形）文メッセージに対応する第１アイコンを、第２表示領域に表示された自機に対応する第２アイコンに関連付けて、第２表示領域に表示する。
【０１２２】
＜複数の移動機器に同一メッセージの送信＞
ユーザーが第２表示領域から複数の第２アイコンを選択して、第１表示領域から第１アイコンを選択した場合、メッセージ処理部４５は、選択された複数の第２アイコンに対応する各移動機器に対して、選択された第１アイコンに対応する定型（かつ定形）文メッセージ等を送信することができる。そうすることで、複数の移動機器に同一の定型（かつ定形）文メッセージを送信する操作を簡単にすることができる。
また、メッセージ処理部４５は、ユーザーにより、ブロードキャストの指示（図示せず）に応じて、選択した定型（かつ定形）文メッセージを情報送信部２２を介してブロードキャストすることができる。
【０１２３】
＜取消しの意思を伝達する定型（かつ定形）文メッセージの送信＞
メッセージ処理部４５は、ユーザーにより第１表示領域から選択された第１アイコンが取消しの意思を伝達する定型（かつ定形）文メッセージに対応する場合、送信情報履歴部３４４から、ユーザーにより第２表示領域から選択された第２アイコンに対応する移動機器に対して、直近に送信した定型（かつ定形）文メッセージに対応する第１アイコンの識別ＩＤを検索して、取消しの意思を伝達する定型（かつ定形）文メッセージに対応する第１アイコンの識別ＩＤに、直近に送信した定型（かつ定形）文メッセージに対応する第１アイコンの識別ＩＤを付加した通信レコードを作成し、情報送信部２２を介して当該選択された第２アイコンに対応する移動機器に送信する。
【０１２４】
こうすることで、当該通信レコードを受信する移動機器は、どの定型（かつ定形）文メッセージを取り消したいのかが、容易に判断できる。
【０１２５】
なお、情報設定部４４により第２表示領域に自機に対応する第２アイコンを表示するように設定されている場合、取消しの意思を伝達する定型（かつ定形）文メッセージを以下のように作成、送信することができる。
第２表示領域に表示された、自機の送信した最新のメッセージに対応する第１アイコンを最初に選択し、その後、第１表示領域から取消しの意思を伝達する定型（かつ定形）文メッセージに対応する第１アイコンを選択した場合、取消しの意思を伝達する定型（かつ定形）文メッセージに対応する第１アイコンの識別ＩＤに、最初に選択された自機の送信した最新のメッセージに対応する第１アイコンの識別ＩＤを付加した通信レコードを作成し、情報送信部２２を介して、自機の送信した最新のメッセージに対応する第１アイコンの送信先に対して送信する。
例えば、図３Ｅに示すように、自機の送信した最新のメッセージに対応する第１アイコン（「コンビニ」）を選択して、第１表示領域から取消しの意思を伝達する定型（かつ定形）文メッセージに対応する第１アイコンを選択した場合、移動機器（Ｌ）と移動機器（Ｍ）に、取消しの意思を伝達する定型（かつ定形）文メッセージに対応する第１アイコンの識別ＩＤに、第１アイコン（「コンビニ」）の識別ＩＤを付加した通信レコードを送信することができる。
【０１２６】
＜応答メッセージの送信＞
メッセージ処理部４５は、ユーザーにより第１表示領域から選択された第１アイコンが例えば、「了解」等の応答メッセージに対応する場合、受信情報履歴部３４５から、ユーザーにより第２表示領域から選択された第２アイコンに対応する移動機器から、直近に受信した定型（かつ定形）文メッセージ（提案）に対応する第１アイコンの識別ＩＤを検索して、応答メッセージに対応する第１アイコンの識別ＩＤに、直近に受信した定型（かつ定形）文メッセージ(提案)に対応する第１アイコンの識別ＩＤを付加した、通信レコードを作成し、情報送信部２２を介して当該選択された第２アイコンに対応する移動機器に送信する。
【０１２７】
こうすることで、当該通信レコードを受信する移動機器は、どの定型（かつ定形）文メッセージ(提案)に対する応答メッセージであるかが、容易に判断できる。
【０１２８】
なお、応答メッセージを以下のように作成、送信することができる。
第２表示領域に表示された、定型（かつ定形）文メッセージ（提案）に対応する第１アイコンを最初に選択し、その後、第１表示領域から応答メッセージに対応する第１アイコンを選択した場合、応答メッセージに対応する第１アイコンの識別ＩＤに、最初に選択された定型（かつ定形）文メッセージ（提案）に対応する第１アイコンの識別ＩＤを付加した通信レコードを作成し、情報送信部２２を介して、当該定型（かつ定形）文メッセージ（提案）の送信元に対して送信する。
例えば、図４Ｂに示すように、移動機器（Ｋ）から受信した定型（かつ定形）文メッセージ（提案）に対応する第１アイコン（「コンビニ」）を選択して、第１表示領域から応答メッセージに対応する第１アイコン（「了解」）を選択した場合、移動機器（Ｋ）に、第１アイコン（「了解」）の識別ＩＤに、第１アイコン（「コンビニ」）の識別ＩＤを付加した通信レコードを送信することができる。
【０１２９】
［電子機器２のシステム構成］
次に電子機器２の構成の一例について説明する。
電子機器２は、車載ナビゲーション装置、ＰＮＤ（Ｐｅｒｓｏｎａｌ  Ｎａｖｉｇａｔｉｏｎ  Ｄｅｖｉｃｅ）等を含むナビゲーション装置、スマートフォン等の携帯型端末装置、タブレット端末、ＰＤＡ、ノートパソコン、携帯電話、その他無線通信機能を備える携帯可能な電子機器を含んで構成される。
【０１３０】
なお、車両等が、自転車、歩行者の場合、電子機器２は携帯端末（スマートフォン等）を含んで構成される。
また、車両及び施設等が、道路沿いの店舗、道路沿いの施設、又は道路沿いの路側通信設備等の場合、電子機器は、上記電子機器２と同様の構成を採用することもできる。また、上記無線通信機能を有するコンピュータ、例えば、サーバ、パソコン、タブレットＰＣ、ＰＤＡ等を採用することもできる。
【０１３１】
これら電子機器２の制御部４０、現在位置算出部４１、接続処理部４２、表示制御部４３、情報設定部４４、及びメッセージ処理部４５の実施形態は、例えば、プログラム可能なプロセッサ、又はプログラム可能なコンピュータによる実行のための、コンピュータプログラムとして実装することができる。
また、特殊目的論理回路、例えば、ＦＰＧＡ又はＡＳＩＣ、ファームウェア、デジタル電子回路の形でも実装することができる。
【０１３２】
また、電子機器２の機能を実現するためのプログラムをコンピュータで読み取り可能な記録媒体に記録して、この記録媒体に記録されたプログラムをコンピュータに読み込ませ、実行することによって実現してもよい。
【０１３３】
ここでいう「コンピュータ」とは、ＯＳ及び周辺機器等のハードウェアを含む。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置等を含む。
【０１３４】
また、本発明の１つの実施形態の方法ステップは、本発明の１つの実施形態の機能を実施するためのコンピュータプログラムを実行する１つ又は複数のプログラム可能なプロセッサ又はコンピュータによって実施することができる。また、特殊目的論理回路、例えば、ＦＰＧＡ又はＡＳＩＣ、ファームウェア、デジタル電子回路によって方法ステップを実施することもできる。
【０１３５】
［電子機器２の動作］
電子機器２の動作について説明する。図３Ａ〜図３Ｇ及び図４Ａ〜図４Ｇを参照しながら説明する。これらは、いずれも移動機器（Ｋ）、移動機器（Ｌ）、及び移動機器（Ｍ）が移動中において、メッセージ交換をする場合の一例を示している。
図３Ａ〜図３Ｇは、移動機器（Ｋ）に表示される表示画面を示している。
図４Ａ〜図４Ｇは、移動機器（Ｌ）に表示される表示画面を示している。
なお、説明をわかりやすくするために、図３Ａ〜図３Ｇ及び図４Ａ〜図４Ｇは、情報設定部４４により、第２表示領域に自機に対応する第２アイコンを表示するように設定した場合の画面表示例となっている。
【０１３６】
第２表示領域に自機に対応する第２アイコンを表示しないように設定された場合の電子機器２に表示される表示画面は、図３Ａ〜図３Ｇにおいて、自機（Ｋ）が表示されないものとして、また図４Ａ〜図４Ｇにおいて、自機（Ｌ）が表示されないものとして読み替えることで説明できるので、詳細な説明は省略する。
【０１３７】
移動機器（Ｋ）、移動機器（Ｌ）、及び移動機器（Ｍ）は、通信可能状態になっている。図３Ａ及び図４Ａは、表示制御部１１が、移動機器（Ｋ）、移動機器（Ｌ）、及び移動機器（Ｍ）が接続状態にあることを表示している。
ここで、図３Ａにおいて、移動機器（Ｋ）のユーザー（Ｋ）により、第２表示領域に表示された第２アイコン（Ｌ）及び第２アイコン（Ｍ）が選択され、第１表示領域に表示された第１アイコンの一覧から、第１アイコン（「コンビニ」）が選択されることに応答して、メッセージ処理部４５は、移動機器（Ｌ）と移動機器（Ｍ）に第１アイコン（「コンビニ」）の識別ＩＤ、時間情報、ＧＰＳ情報等を送信する。
こうすることで、移動機器（Ｋ）のユーザー（Ｋ）は、簡単にグループのメンバーに「コンビニ」提案をすることができる。
【０１３８】
図３Ｂにおいて、表示制御部４３により、自機の第２アイコン（Ｋ）に関連付けて、第１アイコン（「コンビニ」）が第２表示領域に表示される。
【０１３９】
図４Ｂにおいて、移動機器（Ｌ）には、移動機器（Ｋ）から「コンビニ」提案メッセージが届いたことが表示される。第２表示領域の第２アイコン（Ｋ）に関連付けて、第１アイコン（「コンビニ」）が第２表示領域に表示されるとともに、現在走行中の道路地図上に表示された第２アイコン（Ｋ）に関連付けて、第１アイコン（「コンビニ」）が表示される。
こうすることで、移動機器（Ｌ）のユーザー（Ｌ）は、移動機器（Ｋ）から「コンビニ」提案があったことを、直感的に簡単に把握する。
【０１４０】
移動機器（Ｌ）のユーザー（Ｌ）により、第２表示領域に表示された第２アイコン（Ｋ）及び第２アイコン（Ｍ）が選択され、第１表示領域に表示された第１アイコンの一覧から、第１アイコン（「了解」）が選択されることに応答して、メッセージ処理部４５は、移動機器（Ｋ）と移動機器（Ｍ）に第１アイコン（「了解」）の識別ＩＤ、時間情報、ＧＰＳ情報等を送信する。
こうすることで、移動機器（Ｌ）のユーザー（Ｌ）は、簡単にグループのメンバーに「了解」をすることができる。
【０１４１】
図４Ｃにおいて、移動機器（Ｌ）の電子機器２には、「了解」メッセージが送信されたことが表示される。
【０１４２】
図３Ｃにおいて、移動機器（Ｋ）には、移動機器（Ｌ）から「了解」メッセージが届いたことが表示される。第２表示領域の第２アイコン（Ｌ）に関連付けて、第１アイコン（「了解」）が第２表示領域に表示されるとともに、現在走行中の道路地図上に表示された第２アイコン（Ｌ）に関連付けて、第１アイコン（「了解」）が表示される。
こうすることで、移動機器（Ｋ）のユーザー（Ｋ）は、移動機器（Ｌ）から「了解」されたことを、直感的に簡単に把握する。
【０１４３】
図示しないが、移動機器（Ｍ）のユーザー（Ｍ）により第２表示領域に表示された第２アイコン（Ｋ）及び第２アイコン（Ｌ）が選択され、第１表示領域に表示された第１アイコンの一覧から、第１アイコン（「了解」）が選択されることに応答して、メッセージ処理部４５は、移動機器（Ｋ）と移動機器（Ｌ）に第１アイコン（「了解」）の識別ＩＤ、時間情報、ＧＰＳ情報等を送信する。
【０１４４】
図３Ｄにおいて、移動機器（Ｋ）には、移動機器（Ｍ）から「了解」メッセージが届いたことが表示される。
同様に、図４Ｄにおいて、移動機器（Ｌ）には、移動機器（Ｍ）から「了解」メッセージが届いたことが表示される。
【０１４５】
ここで、移動機器（Ｌ）のユーザー（Ｌ）により、第２表示領域に表示された第２表示領域に表示された第２アイコン（Ｋ）及び第２アイコン（Ｍ）が選択され、第１表示領域に表示された第１アイコンの一覧から、第１アイコン（「取消」）が選択されることに応答して、メッセージ処理部４５は、移動機器（Ｋ）と移動機器（Ｍ）に第１アイコン（「取消」）の識別ＩＤ、時間情報、ＧＰＳ情報等を送信する。
こうすることで、移動機器（Ｌ）のユーザー（Ｌ）は、簡単にグループのメンバーに「取消」をすることができる。
【０１４６】
図４Ｅにおいて、移動機器（Ｌ）には、「取消」メッセージが送信されたことが表示される。
【０１４７】
図３Ｅにおいて、移動機器（Ｋ）には、移動機器（Ｌ）から「取消」メッセージが届いたことが表示される。すなわち、第２表示領域の第２アイコン（Ｌ）に関連づけられた、第２表示領域に、第１アイコン（「取消」）と取消しの対象となる第１アイコン（「了解」）とが並列表示される。
こうすることで、移動機器（Ｋ）のユーザー（Ｋ）は、簡単に移動機器（Ｌ）のユーザー（Ｌ）から、「了解」が取り消されたことを簡単に把握することができる。
【０１４８】
そこで、移動機器（Ｋ）のユーザー（Ｋ）により、第２表示領域に表示された第２アイコン（Ｌ）及び第２アイコン（Ｍ）が選択され、第１表示領域に表示された第１アイコンの一覧から、第１アイコン（「取消」）が選択されることに応答して、メッセージ処理部４５は、移動機器（Ｌ）と移動機器（Ｍ）に第１アイコン（「取消」）の識別ＩＤ、時間情報、ＧＰＳ情報等を送信する。
こうすることで、移動機器（Ｋ）のユーザー（Ｋ）は、簡単にグループのメンバーに「コンビニ」提案の取消しの意思を伝達することができる。
【０１４９】
図３Ｆにおいて、移動機器（Ｋ）には、「取消」メッセージが送信されたことが表示される。
【０１５０】
図４Ｆにおいて、移動機器（Ｌ）には、移動機器（Ｋ）から「取消」メッセージが届いたことが表示される。すなわち、第２表示領域の第２アイコン（Ｋ）に関連づけられた、第２表示領域に、第１アイコン（「取消」）と取消しの対象となる第１アイコン（「コンビニ」）とが並列表示される。
こうすることで、移動機器（Ｌ）のユーザー（Ｌ）は、簡単に移動機器（Ｋ）のユーザー（Ｋ）から、「コンビニ」が取り消されたことを簡単に把握することができる。
【０１５１】
なお、図示しないが、移動機器（Ｍ）にも、移動機器（Ｋ）から「取消」メッセージが届いたことが表示される。
そこで、図示しないが、移動機器（Ｍ）のユーザー（Ｍ）により、第２表示領域に表示された第２アイコン（Ｋ）及び第２アイコン（Ｌ）が選択され、第１表示領域に表示された第１アイコンの一覧から、第１アイコン（「取消」）が選択されることに応答して、メッセージ処理部４５は、移動機器（Ｋ）と移動機器（Ｌ）に第１アイコン（「取消」）の識別ＩＤ、時間情報、ＧＰＳ情報等を送信する。
こうすることで、移動機器（Ｍ）のユーザー（Ｍ）は、簡単にグループのメンバーに「取消」をすることができる。
【０１５２】
図３Ｇにおいて、移動機器（Ｋ）には、移動機器（Ｍ）から「取消」メッセージが届いたことが表示される。
同様に、図４Ｇにおいて、移動機器（Ｌ）には、移動機器（Ｍ）から「取消」メッセージが届いたことが表示される。
【０１５３】
以上のように、本発明のコミュニケーション情報を用いることで、走行中の車同士においてコミュニケーションすることができる。
【０１５４】
＜横断歩道でのコミュニケーション情報例＞
前述したように、歩行者や電動カート利用者と走行中の自動車等の利用者との間で定型（かつ定形）文メッセージのやり取りをすることができる。
図６に示すように、歩行者や電動カート利用者は、道路を横断したい場合、自機の表示部１１に表示されている第１アイコン（「渡ります」）を指定する。
そうすることで、当該メッセージが周辺にブロードキャストされて、例えば周辺を走行中の自動車等から「了解」メッセージを受信することができる。
次に、歩行者や電動カート利用者は、道路を渡ることを伝えるために自機の表示部１１に表示されている第１アイコン（「渡ります」）を指定する。
その後、歩行者や電動カート利用者は道路横断を終えて、周辺の自動車等が停止してくれたことに対して感謝の気持ちを伝えるメッセージを表す第１アイコン（「ありがとう」）を指定することで、当該メッセージが周辺にブロードキャストされる。
このように、複数の第１アイコンの各々の意味する内容が、時間的に前後して関連するものを割り当てられているので、本発明のコミュニケーション情報を用いることで、歩行者や電動カート利用者と走行中の自動車等との間において双方向的にコミュニケーションすることができる。
【０１５５】
＜他のコミュニケーション情報の例＞
走行する車両に広告を描いて、道路を走行する広告宣伝車を見かけるが、このように広告宣伝車が、周辺の車両にも広告を伝えたい場合がある。
【０１５６】
このような場合に、コミュニケーション情報として、広告宣伝車の広告情報（例えば、定型（かつ定形）文メッセージにユーザー独自のメッセージを追加したもの）を送信することで、周辺の車両が当該コミュニケーション情報を受信して、周辺の車両は、当該メッセージを表示させることができる。
【０１５７】
＜道路沿いの施設、又は道路沿いの店舗＞
道路沿いの施設、又は道路沿いの店舗（図示せず）は、コミュニケーション情報の発信に際して、当該施設又は店舗の業種情報を含めることができる。当該施設や店舗の横を通り過ぎる車両は、例えばコンビニエンスストアといった業種を予め優先設定しておくことで、表示制御部４３は、定型（かつ定形）文メッセージ（例えば、バーゲンセール、クーポンサービス等）の表示に際して、コンビニエンスストアからのコミュニケーション情報を表す定型（かつ定形）文メッセージをより一層強調するようにできる。そうすることで、自車両１の運転者は、道路沿いにある、コンビニエンスストアの広告情報を容易に検知できる。
【０１５８】
＜道路沿いの路側通信設備＞
道路沿いの路側通信設備(図示せず)は、当該道路を走行する車両に対して、例えば渋滞情報等の重要な交通情報に関する定型（かつ定形）文メッセージ（例えば、定型（かつ定形）文メッセージにユーザー独自のメッセージを追加したもの）があることを発信することができる。道路を走行する自車両１は、道路沿いの路側通信設備に接近すると、自車両１の内部にある電子機器２の表示部１１に表示することができる。
この際、道路沿いの路側通信設備は、情報の緊急度、情報の重要度を発信することにより、表示制御部４３は、当該定型（かつ定形）文メッセージをより強調することで、運転者が直感的に、渋滞情報があるということを把握することができる。
そうすることで、自車両１の運転者は、重要な交通情報を容易に検知できる。
【０１５９】
以上説明した、上記実施形態の定型（かつ定形）文メッセージ交換を行うためのプログラム、方法、及び電子機器２によれば、以下のような効果を奏する。
【０１６０】
（１）上記実施形態の定型（かつ定形）文メッセージ交換を行うためのプログラムは、無線通信部２０と表示部１１とを備える電子機器２を、表示部１１の第２表示領域に通信先に対応する第２アイコンを表示し、表示部１１の第１表示領域に複数の定型（かつ定形）文メッセージに対応する複数の第１アイコンを表示する表示制御部４３、第２表示領域に通信先に対応する第２アイコンが表示され、第１表示領域に複数の第１アイコンが表示されている状態で、少なくとも１つの第２アイコンと、１つの第１アイコンとが指定されたことに応答して、無線通信部２０を介して、指定された第２アイコンに対応する通信先に前記指定された第１アイコンに対応する定型（かつ定形）文メッセージを送信するメッセージ処理部、として機能させるためのプログラムであって、複数の定型（かつ定形）文メッセージは、送信済み定型（かつ定形）文メッセージの一部を引用することができる、少なくとも1つの所定の定型（かつ定形）文メッセージを含む。
【０１６１】
（２）少なくとも１つの所定の定型（かつ定形）文メッセージは、送信済み定型（かつ定形）文メッセージの取消しの意思を伝達する定型（かつ定形）文メッセージである。
【０１６２】
これにより、使用頻度の高いメッセージを定型化し、それを第１アイコンに対応させることで、対応する第１アイコンを選択することのみで、メッセージの作成から発信まで自動処理する。また、誤ったメッセージを送信した場合、又は先に送信した提案を取り消したい場合、取消しの意思を伝達する定型（かつ定形）文メッセージに対応付けた第１アイコンに対応させることのみで、取消しの意思を伝達する定型（かつ定形）文メッセージの作成から発信まで自動処理する。
これにより、自動車等の運転者等は、走行中においても使用頻度の高い定型（かつ定形）文メッセージの送信操作、及び誤った定型（かつ定形）文メッセージを送信した場合、又は先に送信した提案を取り消したい場合の取消しの意思を伝達する定型（かつ定形）文メッセージを短時間で直感的かつ容易に行うことができ、走行中の視点の移動を抑制することができ、スムーズなコミュニケーションを図ることができる。
【０１６３】
（３）また、上記実施形態の定型（かつ定形）文メッセージ交換を行うためのプログラムは、表示制御部４３が、さらに、無線通信部２０を介して、第２アイコンに対応する通信先から定型（かつ定形）文メッセージを受信したことに応答して、第２表示領域に表示される通信先に対応する第２アイコンに関連付けて、表示部１１の第２表示領域に受信した定型（かつ定形）文メッセージに対応する第１アイコンを表示するように、電子機器２を機能させる。
【０１６４】
（４）また、上記実施形態の定型（かつ定形）文メッセージ交換を行うためのプログラムは、表示制御部４３が、さらに第２表示領域に第２アイコンに関連付けて受信した定型（かつ定形）文メッセージに対応する第１アイコンを表示する際に、以前に受信した定型（かつ定形）文メッセージに対応する第１アイコンが表示されている場合、受信した定型（かつ定形）文メッセージに対応する第１アイコンを、以前に受信した定型（かつ定形）文メッセージに対応する第１アイコンに上書きするように、電子機器２を機能させる。
【０１６５】
これによりメッセージ送信者に対応する第２アイコン毎に、最新のメッセージ情報に対応する第１アイコンを関連付けて表示することができる
【０１６６】
（５）また、上記実施形態の定型（かつ定形）文メッセージ交換を行うためのプログラムは、メッセージ処理部４５が、さらに、指定された第１アイコンに対応する定型（かつ定形）文メッセージが所定の定型（かつ定形）文メッセージである場合、前記指定された第２アイコンに対応する通信先に対して、指定された第１アイコンに対応する定型（かつ定形）文メッセージに、指定された第２アイコンに対応する通信先に直近に送信した定型（かつ定形）文メッセージに対応する第１アイコンを識別する情報を付加して送信するように、表示制御部４３が、さらに、受信した定型（かつ定形）文メッセージが所定の定型（かつ定形）文メッセージである場合、第２表示領域に通信先に対応する第２アイコンを表示するとともに、第２アイコンに関連付けて受信した所定の定型（かつ定形）文メッセージに対応する第１アイコンを表示し、所定の定型（かつ定形）文メッセージに付加された情報により識別される第１アイコンを表示するように、電子機器２を機能させる。
【０１６７】
（６）また、上記実施形態の定型（かつ定形）文メッセージ交換を行うためのプログラムは、表示制御部４３が、さらに、受信した定型（かつ定形）文メッセージが所定の定型（かつ定形）文メッセージである場合、第２表示領域に受信した定型（かつ定形）文メッセージに対応する第１アイコンを表示するとともに、第２アイコンに対応する通信先から直近に受信した定型（かつ定形）文メッセージに対応する第１アイコンを表示するように、電子機器２を機能させる。
【０１６８】
これにより、取消しの意思を伝達する定型（かつ定形）文メッセージを作成する送信者は、単に取消しの意思を伝達する定型（かつ定形）文メッセージに対応する第１アイコンを選択する操作のみで直近のメッセージを取り消すことができる。また、取消しの意思を伝達する定型（かつ定形）文メッセージの受信者は、取消しの意思を伝達する定型（かつ定形）文メッセージがどのメッセージを対象としたものか、直感的かつ容易に確認することができる
【０１６９】
（７）上記実施形態１のプログラムは、表示制御部４３を、さらに、第２アイコンに関連付けて受信した定型（かつ定形）文メッセージに対応する第１アイコンを表示する際に、以前に受信した定型（かつ定形）文メッセージに対応する第１アイコンが表示されている場合、受信した定型（かつ定形）文メッセージに対応する第１アイコンと以前に受信した定型（かつ定形）文メッセージに対応する第１アイコンとを受信時刻情報順に、第２表示領域に表示する表示制御部として機能させる。
これにより、現在通信可能となっている通信先から受信した最新のメッセージ及びその前の直近のメッセージを時系列的に直感的かつ容易に確認することができる。
【０１７０】
（８）上記実施形態の無線通信部２０と表示部１１とを備える電子機器２が、定型（かつ定形）文メッセージ交換を行うための方法は、表示部１１の第２表示領域に通信先に対応する第２アイコンを表示し、表示部１１の第１表示領域に複数の定型（かつ定形）文メッセージに対応する複数の第１アイコンを表示する表示制御ステップと、第２表示領域に通信先に対応する第２アイコンが表示され、第１表示領域に複数の第１アイコンが表示されている状態で、少なくとも１つの第２アイコンと、１つの第１アイコンとが指定されたことに応答して、無線通信部２０を介して、指定された第１のアイコンに対応する通信先に指定された第２のアイコンに対応する定型（かつ定形）文メッセージを送信するメッセージ処理ステップと、を含む方法であって、複数の定型（かつ定形）文メッセージは、送信済み定型（かつ定形）文メッセージの一部を引用することができる、少なくとも1つの所定の定型（かつ定形）文メッセージを含む。
【０１７１】
（９）少なくとも１つの所定の定型（かつ定形）文メッセージは、送信済み定型（かつ定形）文メッセージの取消しの意思を伝達する定型（かつ定形）文メッセージである。
【０１７２】
（１０）上記実施形態の無線通信部２０と表示部１１とを備える電子機器２が、定型（かつ定形）文メッセージ交換を行うための方法は、さらに、無線通信部２０を介して、第２アイコンに対応する通信先から定型（かつ定形）文メッセージを受信したことに基づいて、第２表示領域に表示される通信先に対応する第２アイコンに関連付けて、表示部１１の第２表示領域に受信した定型（かつ定形）文メッセージに対応する第１アイコンを表示するステップを含む。
これにより、（１）〜（３）のプログラムと同様の効果を奏する。
【０１７３】
（１１）上記実施形態の電子機器２は、表示部１１の第１表示領域に複数の定型（かつ定形）文メッセージに対応する複数の第１アイコンを表示する表示制御部４３と、第２表示領域に通信先に対応する第２アイコンが表示され、第１表示領域に複数の第１アイコンが表示されている状態で、少なくとも１つの第２アイコンと、１つの第１アイコンとが指定されたことに応答して、無線通信部２０を介して、指定された第１のアイコンに対応する通信先に指定された第１アイコンに対応する定型（かつ定形）文メッセージを送信するメッセージ処理部４５と、を備え、複数の定型（かつ定形）文メッセージは、送信済み定型（かつ定形）文メッセージの一部を引用することができる、少なくとも1つの所定の定型（かつ定形）文メッセージを含む。
【０１７４】
（１２）少なくとも１つの所定の定型（かつ定形）文メッセージは、送信済み定型（かつ定形）文メッセージの取消しの意思を伝達する定型（かつ定形）文メッセージである。
【０１７５】
（１３）上記実施形態の電子機器２の表示制御部４３は、無線通信部２０を介して、第２アイコンに対応する通信先から定型（かつ定形）文メッセージを受信したことに基づいて、第２表示領域に表示される通信先に対応する第２アイコンに関連付けて、表示部１１の第２表示領域に受信した定型（かつ定形）文メッセージに対応する第１アイコンを表示する。
これにより、（１）〜（３）のプログラムと同様の効果を奏する。
【０１７６】
以上、本発明の好ましい実施形態につき説明したが、本発明は、上述の実施形態に制限されるものではなく、適宜変更が可能である。
【符号の説明】
【０１７７】
１    自車両
２    電子機器
１１  表示部
１２  スピーカ
１３  マイク
１４  操作部
１５  カメラ
２０  無線通信部
２１  情報受信部
２２  情報送信部
３１  ＧＰＳ処理部
３２  記憶部
３４１  第２アイコンリスト
３４２  定型（かつ定形）文メッセージリスト
３４３  接続テーブル
３４４  送信情報履歴部
３４５  受信情報履歴部
４０  制御部
４１  現在位置算出部
４２  接続処理部
４３  表示制御部
４４  情報設定部
４５  メッセージ処理部
【図１】
2015170097.tif 000003
【図２】
2015170097.tif 000004
【図３Ａ】
2015170097.tif 000005
【図３Ｂ】
2015170097.tif 000006
【図３Ｃ】
2015170097.tif 000007
【図３Ｄ】
2015170097.tif 000008
【図３Ｅ】
2015170097.tif 000009
【図３Ｆ】
2015170097.tif 000010
【図３Ｇ】
2015170097.tif 000011
【図４Ａ】
2015170097.tif 000012
【図４Ｂ】
2015170097.tif 000013
【図４Ｃ】
2015170097.tif 000014
【図４Ｄ】
2015170097.tif 000015
【図４Ｅ】
2015170097.tif 000016
【図４Ｆ】
2015170097.tif 000017
【図４Ｇ】
2015170097.tif 000018
【図５Ａ】
2015170097.tif 000019
【図５Ｂ】
2015170097.tif 000020
【図６】
2015170097.tif 000021